(57)【要約】【課題】１以上の増設自由なメモリカードを扱い、その一部または全部が任意に着脱されても適切な情報管理を可能にする。【解決手段】１以上のメモリカードに分散記録され得るデジタルＡＶ情報は、所定フォーマット（全てのメモリカードに共通のフォーマット）に従い管理される。この情報管理方法では、メモリカード各々にそのメモリカードを特定する識別情報が記録され、かつメモリカード各々に前記デジタルＡＶ情報のどの部分が何処に配置されているかを示すアロケーション情報（ＦＡＴ）が記録される。この方法では、前記識別情報で識別された前記１以上のメモリカード各々のアロケーション情報が収集され（ＳＴ１０〜ＳＴ２２）、収集された前記アロケーション情報が統合される（ＳＴ２４）。この情報の収集と統合はメモリカードの着脱がある毎に行われる。【選択図】    図１０
2009282851.tif 000002
【特許請求の範囲】
【請求項１】
１以上の情報記憶媒体に記録されるデジタル情報を所定フォーマットに従いファイル管理する情報管理方法であって、
前記情報記憶媒体各々には、その媒体を特定する識別情報が記録され、
前記情報記憶媒体各々には、前記デジタル情報のどの部分が何処に配置されているかを示すアロケーション情報がファイル管理情報として記録される場合において、
前記識別情報で識別された前記１以上の情報記憶媒体各々のアロケーション情報を収集し、
収集した前記アロケーション情報を統合するように構成された情報管理方法。
【請求項２】
前記１以上の情報記憶媒体の数が増やされた場合において、数が増えた前記１以上の情報記憶媒体の各々からアロケーション情報を収集し、
収集した前記アロケーション情報を統合するように構成された請求項１に記載の情報管理方法。
【請求項３】
前記１以上の情報記憶媒体のうちの一部が物理的あるいは論理的に除かれた場合において、一部が除かれた後の残りの前記１以上の情報記憶媒体の各々から前記アロケーション情報を収集し、
収集した前記アロケーション情報を統合するように構成された請求項１に記載の情報管理方法。
【請求項４】
前記１以上の情報記憶媒体の数が増減された場合において、統合された前記アロケーション情報を前記１以上の情報記憶媒体の数の増減に応じて変更し、
数が増減された前記１以上の情報記憶媒体の使用状況あるいは空き状況を、変更された前記アロケーション情報に基づいて表示するように構成された請求項１に記載の情報管理方法。
【請求項５】
前記識別情報で識別された前記１以上の情報記憶媒体のうちの記録可能な空き領域を、統合された前記アロケーション情報から検出し、
記録可能な空き領域を持つ前記１以上の情報記憶媒体に対して、前記所定フォーマットに従い前記デジタル情報を記録し、
記録された前記デジタル情報が何処に配置されているかを、統合された前記アロケーション情報で管理するように構成された請求項１ないし請求項４のいずれか１項に記載の情報管理方法。
【請求項６】
統合された前記アロケーション情報によって前記１以上の情報記憶媒体の何処に記録されているかが管理されるところの前記デジタル情報について、この記録されたデジタル情報の記録時間情報を含む記録管理情報を作成するように構成された請求項５に記載の情報管理方法。
【請求項７】
統合された前記アロケーション情報によって前記１以上の情報記憶媒体の何処に記録されているかが管理されるところの前記デジタル情報について、このデジタル情報の再生単位の再生開始時間情報と再生終了時間情報を含む再生管理情報を作成するように構成された請求項５または請求項６に記載の情報管理方法。
【請求項８】
前記１以上の情報記憶媒体に記録された前記デジタル情報の再生単位の再生時間がセル情報で管理され、前記再生管理情報が１以上の前記セル情報を含み、このセル情報に、そのセル情報に対応する前記デジタル情報を記録した前記情報記憶媒体の識別情報を記録するように構成された請求項７に記載の情報管理方法。
【請求項９】
１以上のメモリカードから各々の再生管理情報を収集し、
収集した再生管理情報からそれらを統合した再生管理情報を作成し、
統合した再生管理情報の記述に従い、各メモリカード内に記録されたプログラムの再生単位であるセルを順に再生する情報管理方法。
【請求項１０】
１以上のメモリカードについて、各々の識別情報と、情報の記録場所を示すアロケーション情報を収集し、
収集した識別情報とアロケーション情報から、各メモリカードの何処にどれだけ空き領域があるかを検出し、
前記空き領域がある１以上のメモリカードを用いて所定のプログラムを記録し、
各メモリカード内に記録されるプログラムの再生単位をセルとし１以上のセルの再生順序を再生管理情報で管理するものとしたときに、同一プログラムが複数のメモリカードに跨って記録される場合は、同じセルが複数のメモリカードに跨らないように、前記再生管理情報を作成する情報管理方法。
【請求項１１】
ファイル管理情報記録領域と管理情報記録領域とオブジェクト記録領域を持つメモリカードを１以上用いて、デジタル情報のプログラムがオブジェクトファイルとして記録されており、
１以上の前記メモリカードに記録された前記オブジェクトファイルの先頭に、記録された前記プログラムに対応するオブジェクトの記録時間情報を含むオブジェクト管理情報が記録されており、
１以上の前記メモリカードに記録された前記管理情報記録領域に、記録された前記プログラムの再生単位を管理するプログラムチェーン情報が記録されている場合において、
前記前記オブジェクトファイルの先頭に記録された前記オブジェクト管理情報と、前記管理情報記録領域に記録された前記プログラムチェーン情報を読み取り、
記録済みの前記オブジェクトの一部が消去または移動された場合に、前記オブジェクトの記録時間情報が古い順の前記プログラムチェーン情報を用いて、前記オブジェクトの一部が消去または移動されたプログラムに対する前記プログラムチェーン情報を再構築する情報管理方法。
【請求項１２】
１以上のメモリカードに記録されるデジタル情報が所定フォーマットに従い管理され、前記メモリカード各々にそのメモリカードを特定する識別情報と前記デジタル情報のどの部分が何処に配置されているかを示すアロケーション情報が記録される場合において、
前記１以上のメモリカード各々が着脱可能に装着されるガイド付き接続部と、
前記接続部に装着された前記１以上のメモリカードのうち論理的な接続が確立されたものについて、前記識別情報で識別された前記１以上のメモリカード各々のアロケーション情報を収集する手段と、収集した前記アロケーション情報を統合する手段と、統合された前記アロケーション情報により管理される前記１以上のメモリカードを用いて前記デジタル情報の記録および／または再生を行う手段を具備したデジタル情報記録再生装置。
【請求項１３】
１以上のメモリカードに記録されるデジタル情報が所定フォーマットに従い管理され、前記メモリカード各々にそのメモリカードを特定する識別情報と前記デジタル情報のどの部分が何処に配置されているかを示すアロケーション情報が記録され、
前記識別情報で識別された前記１以上のメモリカード各々のアロケーション情報を収集し、収集した前記アロケーション情報を統合し、統合された前記アロケーション情報により管理される前記１以上のメモリカードと情報交換を行う制御部に接続される装置であって、
前記１以上のメモリカード各々が着脱可能に装着される１以上のソケットと、
前記制御部で統合された前記アロケーション情報により管理される前記１以上のメモリカードを用いて、前記デジタル情報の記録および／または再生を行う手段と、
前記デジタル情報の記録および／または再生を行う手段を前記制御部に接続する手段を具備したデジタル情報記録再生装置。
【請求項１４】
１以上のメモリカードに記録されるデジタル情報が所定フォーマットに従い管理され、前記メモリカード各々にそのメモリカードを特定する識別情報と前記デジタル情報のどの部分が何処に配置されているかを示すアロケーション情報が記録され、電磁波による無線情報交換とともに電磁波による給電を行うカード側アンテナが前記メモリカード各々に具備されている場合において、
前記１以上のメモリカードを入れる収納キャビティと、
前記収納キャビティに入っている前記１以上のメモリカード各々に給電エネルギを持つ電磁波を送る装置側アンテナと、
前記収納キャビティに入っていて前記装置側アンテナからの電磁波により給電されている前記１以上のメモリカードのうち論理的な接続が確立されたものについて、前記識別情報で識別された前記１以上のメモリカード各々のアロケーション情報を収集する手段と、収集した前記アロケーション情報を統合する手段と、統合された前記アロケーション情報により管理される前記１以上のモリカードを用いて前記デジタル情報の記録および／または再生を行う手段を具備したデジタル情報記録再生装置。
【請求項１５】
１以上のメモリカードに記録されるデジタル情報が所定フォーマットに従い管理され、前記メモリカード各々にそのメモリカードを特定する識別情報と前記デジタル情報のどの部分が何処に配置されているかを示すアロケーション情報が記録され、光による情報交換を行う光素子および光による給電を行う太陽電池が前記メモリカード各々に具備されている場合において、
前記１以上のメモリカード各々が着脱可能に配置されるガイドと、
前記ガイドに沿って配置された前記１以上のメモリカードの受光面側に配置され、前記光素子および前記太陽電池に光を照射し前記光素子から光を受ける光送受手段と、
前記光が照射された前記太陽電池からの給電で動作する前記１以上のメモリカードのうち、前記光素子を介して論理的な接続が確立されたものについて、前記識別情報で識別された前記１以上のメモリカード各々のアロケーション情報を収集する手段と、収集した前記アロケーション情報を統合する手段と、統合された前記アロケーション情報により管理される前記１以上のメモリカードを用いて前記デジタル情報の記録および／または再生を行う手段を具備したデジタル情報記録再生装置。
【請求項１６】
デジタル情報を記録する領域と、自身を特定する識別情報を記録する領域と、前記デジタル情報のどの部分が何処に配置されているかを示すアロケーション情報を記録する領域を有するものであって、電磁波による無線情報交換とともに電磁波による給電を行うアンテナを具備したメモリカード。
【請求項１７】
デジタル情報を記録する領域と、自身を特定する識別情報を記録する領域と、前記デジタル情報のどの部分が何処に配置されているかを示すアロケーション情報を記録する領域を有するものであって、光による情報交換を行う光電素子および光による給電を行う太陽電池を具備したメモリカード。
【発明の詳細な説明】
【技術分野】
【０００１】
この発明は、１以上の情報記憶媒体（メモリカードなど）を用いるデジタル情報管理方法およびデジタル情報記録再生装置に関する。
【背景技術】
【０００２】
近年、デジタルＴＶ放送あるいは高速インターネット回線の普及に伴い、デジタル動画情報（ＡＶ情報）の流通量が増え、それを記録するメディアが種々開発されている。その代表例として、赤色ないし青色レーザを用いた光ディスクやハードディスクドライブ（ＨＤＤ）があるが、最近は半導体フラッシュメモリの大容量化と低コスト化が進み、半導体メモリもＡＶ情報記録メディアとして有力候補となってきている。とはいえ、現状では、個々のメモリ容量は大量のデジタル動画情報を保存するには十分とはいえず、多数のメモリを集めないと大容量ＨＤＤのようなＡＶ情報バンクとしての使用に耐えない。そこで、多数のメモリをＡＶ情報用に用いるシステムへの要求がでてくるが、複数メモリを画像データ記録に用いるものは従来から存在する（特許文献１参照）。
【特許文献１】特開２００６−１３３８９８号公報。
【発明の開示】
【発明が解決しようとする課題】
【０００３】
特許文献１は、受信した画像情報を複数のメモリカードに順次振り分けて記録すると共に、振り分けて記録した画像情報を分類して容易にデータ管理を行うことのできるデータ記録装置を開示している。
【０００４】
しかしながら、特許文献１に開示された装置では、長時間のデジタル動画情報を記録するために多数のメモリカードが用いられる状況下において、メモリカードがランダムに抜き差し（あるいは着脱）され得る場合の情報管理が十分でない。
【０００５】
この発明の課題の１つは、増設自由な１以上の情報記憶媒体（メモリカードなど）を扱い、その一部が任意に着脱されても適切な情報管理を可能にすることである。
【課題を解決するための手段】
【０００６】
この発明の一実施の形態に係るデジタル情報管理方法では、１以上の情報記憶媒体に分散記録され得るデジタル情報（ＡＶ情報など）は所定フォーマット（統一的に管理される全ての情報記憶媒体に共通したフォーマット）に従い管理される。この情報管理方法では、情報記憶媒体各々にその媒体を特定する識別情報が記録され、かつ情報記憶媒体各々に前記デジタル情報のどの部分が何処に配置されているかを示すアロケーション情報が記録される。
【０００７】
この方法では、前記識別情報で識別された前記１以上の情報記憶媒体各々のアロケーション情報が収集され、収集された前記アロケーション情報が統合される。すなわち、前記１以上の情報記憶媒体の数が増やされた場合は、数が増えた前記１以上の情報記憶媒体の各々からアロケーション情報を収集し、収集した前記アロケーション情報を統合する。一方、前記１以上の情報記憶媒体のうちの一部が物理的あるいは論理的に除かれた場合は、一部が除かれた後の残りの情報記憶媒体各々からアロケーション情報を収集し、収集した前記アロケーション情報を統合する。このように、情報の収集と統合は、使用される情報記憶媒体の増減（着脱）がある毎に適宜行うことができる。
【発明の効果】
【０００８】
増設自由な１以上の情報記憶媒体の一部が任意に着脱されても適切な情報管理が可能となる。
【発明を実施するための最良の形態】
【０００９】
以下、図面を参照してこの発明の種々な実施の形態を説明する。この発明の一実施の形態に係る情報記憶媒体は種々なタイプの情報記憶媒体または情報記憶装置で構成できるが、代表的なものとしてはフラッシュメモリなどの不揮発性半導体メモリがある。どのようなタイプの情報記憶媒体を採用するにせよ、この発明の実施の形態に係る情報記憶媒体で採用されるデータ構造では、１以上の情報記憶媒体（例えば図２１のメモリカード３１ａ〜３１ｎ）各々において、以下の項目の一部または全部を採用するように構成できる：
（１）記録されるデータオブジェクト（MPEG-2 PSのビデオオブジェクトＶＯＢ、もしくはMPEG-2 TSまたはMPEG-4 AVC(H.264) TSEのストリームオブジェクトＳＯＢ）毎にオブジェクトファイルを分ける。  
（２）オブジェクトの管理情報（オブジェクトの記録開始時刻等を含む情報、オブジェクトの記録位置とその再生時間との対応関係を示すタイムマップ情報などが記録されるＶＯＢＩまたはＳＯＢＩ）は、複数個所（例えば次の２箇所）に同じ内容（または主要部が共通した内容）を記録する：
（2.1）１箇所（例えばファイルシステムの記録領域内）：対応するオブジェクトファイル（ファイルアロケーションテーブルＦＡＴ上で論理的に対応するオブジェクトファイル）の先頭に配置する；
（2.2）別箇所（例えばＶＯＢＳＩまたはＳＯＢＳＩ記録領域内）：同一情報記憶媒体（メモリカードなど）内に記録された全てのＶＯＢまたはＳＯＢのオブジェクトファイルに関するＶＯＢＩまたはＳＯＢＩを、まとめて１個のＶＯＢＩ管理ファイルまたはＳＯＢＩ管理ファイルとして、同一情報記憶媒体（メモリカードなど）内に記録する。  
（３）再生管理情報（再生単位であるセルの再生順序を管理するＰＧＣＩ）は、情報記憶媒体（メモリカードなど）毎に記録する（その際、異なる情報記憶媒体毎にセルを分ける、すなわち同じセルが異なる情報記憶媒体に跨らないようにする）。  
（４）セル情報（ＣＩ）内に、情報記憶媒体（メモリカードなど）の識別情報および／または同一情報記憶媒体（メモリカードなど）内のＶＯＢまたはＳＯＢの識別情報を記録する。ここで、情報記憶媒体（メモリカードなど）の識別情報としては、情報記憶媒体（メモリカードなど）のＩＤ情報または情報記憶媒体（メモリカードなど）毎のユニークなＶＯＢＩ管理ファイル名もしくは情報記憶媒体（メモリカードなど）毎のユニークなＳＯＢＩ管理ファイル名がある。また、同一情報記憶媒体（メモリカードなど）内のＶＯＢまたはＳＯＢの識別情報としては、ＶＯＢＩ管理ファイルまたはＳＯＢＩ管理ファイル内で規定されたＶＯＢまたはＳＯＢの識別情報またはオブジェクトファイル名がある。  
（５）異なる情報記憶媒体（メモリカードなど）に跨って記録された、関連記録内容（同一プログラムの内容など）のオブジェクト（ＶＯＢまたはＳＯＢ）の再生を可能にする（具体的には、情報記憶媒体毎に、記録オブジェクトの再生手順をＯＲＧ_ＰＧＣＩで定義する。オブジェクト記録後では、ユーザが希望する再生手順は、情報記憶媒体毎のＵＤ_ＰＧＣＩで適宜定義する）。
【００１０】
（６）各情報記憶媒体（メモリカードなど）は、それを使用するシステム（記録再生装置やＡＶ情報のホームサーバなど）に対して、プラグ・アンド・プレイで接続される。
【００１１】
図２１は、この発明の一実施の形態に係る情報記憶媒体（以下ではフラッシュメモリなどの不揮発性メモリカードで代表する）３１における記録フォーマット（データ構造）を説明する図である。図２１の情報記憶媒体は、通常はメモリカードの形で具現できるもので、例えば板ガムサイズあるいは切手サイズのカード形状を持つ。ここでは図示しないが、このメモリカードの外側の所定位置に、外部機器と接続（情報交換とエネルギ供給のための接続）をするための電極、あるいは外部機器と接続をするための発光／受光素子（可視光または赤外等の非可視光利用）、あるいは外部機器と接続をするための電磁波（電波）用アンテナを備えている。メモリカードの本体は、例えば２５６ＭＢ〜１６ＧＢ（将来的にはそれ以上の大容量）の不揮発性メモリ（フラッシュメモリ）に、適宜マイクロコンピュータおよびその周辺デバイスを組み込んだ半導体ＩＣで構成できる。ここでは複数のメモリカード３１ａ〜３１ｎの一部についてその中身を示しているが、各メモリカードの内部は共通な構造を含んでいる。ただし、各メモリカードは、個々のメモリカードで異なるユニークなカード固有ＩＤ（あるいはユニークな名称）を持つ。以下ではメモリカード３１ａで代表して、その内部構造を説明する。
【００１２】
図２１（ａ）に示すように、メモリカード３１ａはコピープロテクション機能を持ち、メモリカード内に記録された情報に対する不正コピーあるいは不正利用を防止できるようになっている。すなわち、メモリカード自体が、独自に、外部機器（情報再生装置、情報記録再生装置、デジタルＴＶ、ホームサーバなど）に対して、
（イ）相互認証と暗号キー交換を行い、
（ロ）暗号化された情報の入出力を行い、
（ハ）メモリカードが正規に認証した相手機器（情報再生装置、情報記録再生装置、デジタルＴＶ、ホームサーバなど）のみが正常な（暗号解読後の）情報を利用できるようになっている。
【００１３】
このような相互認証処理や暗号キー交換を始めとして、情報の暗号化／復号化（暗号解読）および情報の入出力インターフェース処理を、メモリカード内の制御用ＣＰＵ（ＭＰＵ）１０１が実行している。このメモリカード内制御用ＣＰＵ１０１を動かすプログラム（ファームウエア）は、認証／キー交換およびＩ／Ｏ処理関連制御プログラム記録用ＲＯＭ１０２内に格納される。メモリカードが正規に認証した相手機器では、個々のメモリカード毎に認証識別を行い、各カードに転送入力された情報のセキュリティ管理を行っている。
【００１４】
メモリカードが正規に認証した相手機器が行うカード毎の情報管理を保証する手段として、メモリカードは、１枚１枚が自身に固有のＩＤを持つとともに、固有な暗号キーを設定できるようになっている。すなわち、メモリカード毎に個々に付与された固有ＩＤ（そのカードの製造者名、製品名、ロット番号、シリアル番号など）と固有な暗号キー情報（Advanced Access Content System：ＡＡＣＳの情報など）が、カード固有ＩＤ情報およびキー情報の記録領域（Read-Write Memory：ＲＷＭ）１０３に記録されている。なお、個々のカードにユニークなカード名称（ユーザがリモコン操作などで自由に付与できる名称）は、この記録領域１０３に格納することができる。
【００１５】
コピープロテクション機能付きメモリカード３１ａは、その他にアプリケーションデータ記録領域（Read-Write Memory：ＲＷＭ）１０４を持ち、このＲＷＭ１０４に、デジタルＴＶ放送プログラムあるいはインターネット配信ビデオコンテンツなどのＡＶ情報（ビデオオブジェクトＶＯＢまたはストリームオブジェクトＳＯＢ）、静止画像情報（イメージオブジェクトＩＯＢ）、テキスト情報（テキストオブジェクトＴＯＢ）およびそれらの情報を管理する管理情報（ＰＧＣＳＩ、ＶＯＢＳＩ、ＩＯＢＳＩ、ＴＯＢＳＩ、ＳＯＢＳＩ）などを記録できるようになっている。
【００１６】
図２１（ｂ）に示すように、このアプリケーションデータ記録領域（ＲＷＭ）１０４内は、ブート情報記録領域１１０、ファイルアロケーションテーブル（ＦＡＴ）記録領域１１１、ルートディレクトリ内情報記録領域１１２、およびデータ領域１１３で構成される。アプリケーションデータ記録領域１０４内に記録されるデータのファイルフォーマットには、ＦＡＴ形式が採用されている。このＦＡＴは、例えば図１６〜図２０に示すようなファイルシステムレイアウトを含むボリューム構造を持つことができる。データ領域１１３に記録される管理情報ファイルやオブジェクトデータファイルなどは、図２５に示すような階層構造でファイル管理される。この階層構造ファイルの情報は、ルートディレクトリ内情報記録領域１１２に格納される。
【００１７】
情報記録再生装置などの外部機器に図２１のメモリカードが接続されると、この情報記録再生装置のシステムはブート情報記録領域１１０内に記録された情報を読み取り、自動的にブート（起動）する（システムが一旦ブートしたあとにシステムに追加されるメモリカードは、プラグ・アンド・プレイとなる）。その後、この情報記録再生装置でメモリカードから所望のＡＶ情報を再生する場合は、ＦＡＴ記録領域１１１内のファイルアロケーション情報を読み取って再生したい所望情報の格納アドレスを知り、このアドレスに基づきアプリケーションデータ記録領域１０４内にアクセスする。
【００１８】
メモリカード３１ａのデータ領域１１３ａ内は、ＡＶ関連情報記録領域１２１と１以上の一般コンピュータ情報記録領域１２０が任意に混在設定可能になっている。その他のメモリカード３１ｋ、３１ｎも同様である。これらのメモリカード３１ａ〜３１ｎのうち、ＦＡＴの管理下にある複数メモリカードのデータ領域１１３ａ〜１１３ｎは統合され一まとめになって管理される。その結果、論理上のデータ領域は、図２１（ｃ）に示すように、複数メモリカード分を統合した、ＡＶ関連情報記録領域１２１および１以上の一般コンピュータ情報記録領域１２０が混在する構造となる。
【００１９】
仮に１６ＧＢサイズのメモリカードを２５６枚統合すれば、トータル４ＴＢの巨大メモリバンクとなり、例えば高精細デジタルＴＶ放送プログラムを多数（長時間）録画保存しておくことができる。始めは１６ＧＢメモリカード１枚でも、順次買い足していって６４枚になれば１ＴＢとなり、２５６枚になれば４ＴＢになるわけで、購入済みのメモリカードが無駄にはならない。また、不要になったメモリカードはパソコンなどで再利用することができるし、パソコンその他の機器で不要になったメモリカードが図２１のメモリカードと共通規格の下で作られたものであるときは、この発明の実施の形態に係る装置でメモリバンクの増設に利用できる。
【００２０】
さらに、異なる容量（通常販売価格が異なる）のメモリカードが任意の枚数混在できるため、ユーザは、手持ち資金で購入できる範囲で、好きな容量のカードを好きなだけ購入して使用できる（例えば、１６ＧＢを１枚と４ＧＢを２枚購入し、資金が余ればそれで安価な２５６ＭＢ〜１ＧＢを２〜３枚追加購入する、といった購入方法が可能になる）。つまり、任意の容量のメモリカードが（システムが受け入れられる上限内で）何枚でもプラグ・アンド・プレイで使できるため、メモリカードの消費需要が高まるし、購入したメモリカードは無駄なく利用できる。
【００２１】
図２１（ｄ）に示すように、ＡＶ関連情報記録領域１２１は、管理情報記録領域１３０およびビデオブジェクト（ＶＯＢ）記録領域１３１のほか、イメージオブジェクト（ＩＯＢ）記録領域１３２、テキストオブジェクト（ＴＯＢ）記録領域１３３、ストリームブジェクト（ＳＯＢ）記録領域１３４などを含むことができるようになっている。メモリカードに記録されるＡＶ情報はＶＯＢ記録領域１３１および／またはＳＯＢ記録領域１３４に格納され、メモリカードに記録される静止画像情報はＩＯＢ記録領域１３２に格納され、メモリカードに記録されるテキスト情報はＴＯＢ記録領域１３３に格納される。
【００２２】
図２１（ｄ）では図示しないが、図２１（ｃ）のＡＶ関連情報記録領域１２１内に音声専用のオーディオオブジェクト（ＡＯＢ）記録領域を設けることもできる。ネット配信された音楽情報などは、適当な画像情報とともにビデオオブジェクト記録領域１３１に記録してもよいが、図示しない音声専用のオーディオオブジェクト（ＡＯＢ）記録領域に音楽情報を記録することもできる。
【００２３】
管理情報記録領域１３０内は、図２１（ｅ）に示すような記録領域に分かれている。すなわち、管理情報記録領域１３０は、プログラムチェーンセット情報（ＰＧＣＳＩ）記録領域１４０、ビデオブジェクトセット情報（ＶＯＢＳＩ）記録領域１４１、イメージオブジェクトセット情報（ＩＯＢＳＩ）記録領域１４２、テキストオブジェクトセット情報（ＴＯＢＳＩ）記録領域１４３、ストリームブジェクトセット情報（ＳＯＢＳＩ）記録領域１４４などを含んで構成されている。
【００２４】
ＰＧＣＳＩ記録領域１４０は、図２１（ｆ）に示すように、元のプログラムチェーンの情報を格納するオリジナルＰＧＣ情報（ＯＲＧ＿ＰＧＣＩ）記録領域１５０と、ユーザがメモリカードの使用中に新たに定義したプログラムチェーンの情報を格納する１以上のユーザ定義ＰＧＣ情報（ＵＤ＿ＰＧＣＩ）記録領域１５１、１５２、…を含んで構成されている。
【００２５】
すなわち、記録されたＡＶ情報（ＶＯＢまたはＳＯＢ）について、その再生単位（セル）の再生順序などを管理する管理情報（ＯＲＧ＿ＰＧＣＩ、ＵＤ＿ＰＧＣＩ）は、ＰＧＣセット情報ＰＧＣＳＩに含まれている。ＰＧＣＳＩは、少なくとも１つのオリジナルプログラムチェーン情報（ＯＲＧ＿ＰＧＣＩ）と、適宜１以上のユーザ定義プログラムチェーン情報（ＵＤ＿ＰＧＣＩ）を含むことができるようになっている。ＵＤ＿ＰＧＣＩは無い場合もある。個々のＰＧＣＩ（ＯＲＧ＿ＰＧＣＩまたはＵＤ＿ＰＧＣＩ）は、記録コンテンツの論理単位であるプログラムの再生手順を示す情報となっている。そして、1以上のプログラムの繋がりがプログラムチェーンＰＧＣとなる。このＰＧＣの再生全体は、ＰＧＣＩ内で定義されたセルの再生順序で記述される。
【００２６】
ＶＯＢの記録開始時間（VOB_REC_TM）、再生開始時間（VOB_V_S_PTM）、再生終了時間（VOB_V_E_PTM）などを管理する管理情報（VOB_GI）は、ＶＯＢセット情報ＶＯＢＳＩに含まれるＶＯＢＩ（図２１（ｅ）（ｈ））内に格納される。（ＶＯＢＳＩは1以上のＶＯＢＩを含むことができるようになっている。）また、記録されたＶＯＢについて、ＶＯＢ内部の再生時間（VOBU_PB_TM）を、それに対応する記録オブジェクトユニット（ＶＯＢＵ）のアドレス（VOBU_ADR）に変換するタイムマップ情報ＴＭＡＰＩも、ＶＯＢＳＩに含まれるＶＯＢＩ（図２１（ｈ））内に格納される。
【００２７】
同様に、ＳＯＢの記録開始時間（SOB_REC_TM）、再生開始時間（SOB_V_S_PTM）、再生終了時間（SOB_V_E_PTM）などを管理する管理情報（図２２（ｂ）のSOB_GI）は、ＳＯＢセット情報ＳＯＢＳＩに含まれるＳＯＢＩ（図２１（ｅ））内に格納される。（ＳＯＢＳＩは1以上のＳＯＢＩを含むことができるようになっている。）
上記ＶＯＢＩ（またはＳＯＢＩ）の内容は、図２１（ｅ）のＶＯＢＳＩ（またはＳＯＢＳＩ）内だけでなく、図２５の＊付きファイルで例示するように、そのＶＯＢＩ（またはＳＯＢＩ）に対応するオブジェクトのファイルの先頭にも記録される。（図２５のファイル構造の情報は図２１（ｂ）のルートディレクトリ内情報記録領域１１２に格納することができる。）
ＯＲＧ＿ＰＧＣ情報記録領域１５０は、図２１（ｇ）に示すように、オリジナルＰＧＣ内に存在するセル（そのＰＧＣを構成する情報単位）の合計数を示す情報（図２４（ａ）（ｂ）のＰＧＩ内C_Nsに対応）の記録領域１６０と、１以上のセル情報（ＣＩ）記録領域１６１、１６２、…を含んで構成されている。各ＵＤ＿ＰＧＣ記録領域も、同様なセル情報（ＣＩ）記録領域を含む。
【００２８】
ＯＲＧ＿ＰＧＣ情報記録領域あるいはＵＤ＿ＰＧＣ記録領域に含まれる１以上のセル情報（ＣＩ）記録領域は、それぞれが、メモリカード固有のＩＤを記録するエリアとセル一般情報C_GIを記録するエリアを持っている。セル一般情報C_GI内には、図２１（ｉ）に示すように、該当セルのビデオ開始時間の情報C_V_S_PTMと、該当セルのビデオ終了時間の情報C_V_E_PTMが格納される。
【００２９】
ここで、例えばメモリカード３１ａとメモリカード３１ｋとメモリカード３１ｎのデータ領域１１３ａ、１１３ｋ、１１３ｎが統合されている場合、メモリカード３１ａに記録されたオブジェクトについてのセル情報ＣＩ＃１とＣＩ＃２については、その固有ＩＤ記録エリアには、メモリカード３１ａのカード固有ＩＤであるＩＤａ（またはそのメモリカードのユニークなＶＯＢＩ管理ファイル名ａもしくはユニークなＳＯＢＩ管理ファイル名ａ＊）が記録される。また、メモリカード３１ｋに記録されたオブジェクトについてのセル情報ＣＩ＃ｋについては、その固有ＩＤ記録エリアには、メモリカード３１ｋのカード固有ＩＤであるＩＤｋ（またはそのメモリカードのユニークなＶＯＢＩ管理ファイル名ｋもしくはユニークなＳＯＢＩ管理ファイル名ｋ＊）が記録される。さらに、メモリカード３１ｎに記録されたオブジェクトについてのセル情報ＣＩ＃ｎについては、その固有ＩＤ記録エリアには、メモリカード３１ｎのカード固有ＩＤであるＩＤｎ（またはそのメモリカードのユニークなＶＯＢＩ管理ファイル名ｎもしくはユニークなＳＯＢＩ管理ファイル名ｎ＊）が記録される。
【００３０】
このようにすると、各セル情報（ＣＩ）内の固有ＩＤ情報エリアに記録されたカード固有ＩＤ（またはメモリカード毎のユニークなＶＯＢＩ管理ファイル名もしくはユニークなＳＯＢＩ管理ファイル名）から、ある記録オブジェクトの再生単位（セル）がどのメモリカードに記録されたオブジェクトのものであるかが分かる。
【００３１】
この例において、あるメモリカードのセル情報（例えばＣＩ＃２）に対応する記録オブジェクト（記録コンテンツ）と別のメモリカードのセル情報（例えばＣＩ＃ｋ）に対応する記録オブジェクト（記録コンテンツ）とが別々になるようにすれば、複数のメモリカードに同じコンテンツの再生単位（セル）が跨って存在するのを防ぐような管理が可能になる。そうすると、記録データが統合された複数のメモリカードの一部が物理的あるいは論理的に取り除かれても、残ったメモリカードの記録コンテンツの再生に不都合が生じないようにできる。
【００３２】
例えば、メモリカード３１ａと３１ｋと３１ｎのデータ領域が統合され、この統合されたデータ領域に、セル情報ＣＩ＃１とＣＩ＃２とＣＩ＃ｋとＣＩ＃ｎにより管理される再生単位Ｃ＃１とＣ＃２とＣ＃ｋとＣ＃ｎに対応したオブジェクト（ＡＶ情報）が記録されていたとする。全てのメモリカードが生きている場合は、管理情報（ＰＧＣＳＩ内の該当ＰＧＣＩ）の記述に従い、例えばＣ＃１→Ｃ＃２→Ｃ＃ｋ→Ｃ＃ｎの順で記録オブジェクトが再生される。ここで、例えばメモリカード３１ｋが取り除かれると、管理情報（ＰＧＣＩ）の管理対象は、セル情報ＣＩ＃１とＣＩ＃２とＣＩ＃ｎとなる。すると、メモリカード３１ｋが取り除かれた後の記録オブジェクトは、管理情報（ＰＧＣＩ）の記述に従い、Ｃ＃１→Ｃ＃２→Ｃ＃ｎの順で再生される。この場合セル情報ＣＩ＃ｋに対応する記録オブジェクトの分が再生から除かれるが、残ったメモリカード３１ａと３１ｎの記録オブジェクトの分は正常に再生される。
【００３３】
しかし、もしセルＣ＃ｋに対応する記録オブジェクトが残ったメモリカード３１ａと取り除かれたメモリカード３１ｋに跨っていたとすると、残ったメモリカード３１ａにあるセルＣ＃ｋに対応した記録オブジェクトの一部が再生不能となってしまう。例えば、セルＣ＃１、Ｃ＃２、Ｃ＃ｋ、Ｃ＃ｎがそれぞれＴＶ放送ドラマの第１話、第２話、第ｋ話、第ｎ話のオブジェクトに対応するものであった場合において、第ｋ話のオブジェクトが２枚のメモリカードに跨っておりその１枚（３１ｋ）が取り除かれると、残ったメモリカード（３１ａ）内の第ｋ話は頭が欠けるか尻切れトンボになってしまう。複数のメモリカードに同じコンテンツの再生単位（セル）が跨って存在するのを防ぐようにすれば、例えば一部のメモリカードの除去により第ｋ話が丸ごとカットされることになっても、第ｋ話の再生が頭欠けになったり尻切れになったりする不都合はなくなる。（第ｋ話を見たいときはメモリカード３１ｋを再生システムに繋ぎ直せばよい）。この例において、録画済みドラマの第何話がどのメモリカードに録画されているのかの情報リストは、図示しないが、例えば図２５の“Video Recording Directory for Files related in VOBs”または“Stream Recording Directory for Files related in SOBs”内のオブジェクトファイルのうち対象ドラマのＶＯＢファイルまたはＳＯＢファイル内に格納しておくことができる。）
以上のデータ構造をもつメモリカード３１ａにおいて、記録コンテンツは図２１（ｄ）の記録領域１３１〜１３４内の該当個所に格納される。また、格納された記録コンテンツをユーザが編集（消去、移動など）した後の管理情報は、図２１（ｄ）の記録領域１３０内の該当個所に格納される。（例えばデジタルＴＶ放送をストリーム記録したオブジェクトＳＯＢが編集された場合は、編集後の管理情報ＳＯＢＩは図２１（ｅ）の領域１４４に格納される。）
この発明の実施の形態では、図２１のコピープロテクション機能付きメモリカード３１ａ〜３１ｎとしては、主に、不正コピー／不正利用から保護されたＡＶ情報等を記録するメモリカードが想定されている。しかし、図２１のメモリカード３１ａ〜３１ｎは、ＡＶ情報だけに限らず、一般のパーソナルコンピュータＰＣで利用されるワードプロセサ、スプレッドシートなどのアプリケーションファイル（あるいはＰＣデータ）を記録することにも利用できる（そのための記録領域は図２１（ｃ）の１２０で示されている）。
【００３４】
この場合、図２１（ａ）のＲＯＭ１０２に格納された認証／キー交換およびＩ／Ｏ処理関連制御プログラムとＲＷＭ１０３に格納されたカード固有ＩＤおよびキー情報を適宜利用することにより、ワードプロセサ、スプレッドシート、ゲームなどのアプリケーションファイル（あるいはＰＣデータ）の不正コピー／不正利用を防止することができる。つまり、図２１のメモリカード３１ａ〜３１ｎは、ユーザが自由に記録再生に使用するブランクメディアとしてだけではなく、1枚もしくは複数枚をセットとして、不正コピー／不正利用から保護したいコンピュータプログラム（アプリケーションプログラム、ゲームプログラム等）を頒布するパッケージメディアとしても利用できる。
【００３５】
図２２は、ビデオオブジェクト情報およびストリームオブジェクト情報に含まれる一般情報（VOB_GIおよびSOBI_GI）の内容を例示している。このVOB_GIは、対応ビデオオブジェクトＶＯＢのタイプを示すVOB_TYと、対応ＶＯＢの先頭ビデオデータが記録されたときの時間を示すVOB_REC_TMと、対応ＶＯＢの最初のビデオフィールドの再生開始時間を示すVOB_V_S_PTMと、対応ＶＯＢの最後のビデオフィールドの再生終了時間を示すVOB_V_E_PTMと、コピー制御情報（Copy Protection Information）を含んでいる。VOB_TYは、対応ＶＯＢが仮に消去された状態にあるか否かを示すフラグ（ＴＥ）を含んでいる。仮消去状態は後で解消できるが、仮消去状態にあるＶＯＢをユーザ定義ＰＧＣ内のセルが参照することはない。
【００３６】
同様に、SOBI_GIは、対応ストリームオブジェクトＳＯＢのタイプを示すSOB_TYと、対応ＳＯＢの先頭ビデオデータが記録されたときの時間を示すSOB_REC_TMと、対応ＳＯＢの最初のビデオフィールド（またはビデオフレーム）の再生開始時間を示すSOB_S_PTMと、対応ＳＯＢの最後のビデオフィールド（またはビデオフレーム）の再生終了時間を示すSOB_E_PTMと、コピー制御情報（Copy Protection Information）を含んでいる。SOB_TYは、対応ＳＯＢが仮に消去された状態にあるか否かを示すフラグ（ＴＥ）を含んでいる。仮消去状態は後で解消できるが、仮消去状態にあるＳＯＢをユーザ定義ＰＧＣ内のセルが参照することはない。
【００３７】
図２３は、ビデオオブジェクト情報およびストリームオブジェクト情報に含まれるタイムマップ情報（TMAPIおよびSOB_TMAPI）の内容を例示している。このTMAPIは、タイムマップ一般情報TMAP_GIと、1以上のタイムエントリTM_ENTと、１以上のＶＯＢＵエントリVOBU_ENTを含んでいる（ＶＯＢＵはＶＯＢの基本単位にあたり、１以上のＧＯＰからなる）。TMAP_GIは、タイムエントリの数を示すTM_TNT_Nsと、ＶＯＢＵエントリの数を示すVOBU_ENT_Nsと、TMAPIの時間オフセットを示すTM_OFSと、対応ＶＯＢの開始アドレスを示すADR_OFSを含んでいる。
【００３８】
1以上のタイムエントリ各々は、ＶＯＢＵエントリの番号VOBU_ENTNと、タイムエントリで示されるＶＯＢＵの再生開始時間と別途算出された再生時間との時間差を示すTM_DIFFと、該当ＶＯＢＵを構成するデータパックのうち最初のパックのアドレスを示すVOBU_ADRを含んでいる。また、1以上のＶＯＢＵエントリ各々は、該当ＶＯＢＵに属するリファレンスピクチャ（Ｉピクチャなど）のサイズを示す1stRef_SZと、そのＶＯＢＵの再生時間を示すVOBU_PB_TMと、そのＶＯＢＵのサイズを示すVOBU_SZを含んでいる。
【００３９】
一方、SOB_TMAPIは、ＳＯＢタイムマップ一般情報SOB_TMAP_GIと、1以上のエレメンタリストリームタイムマップ一般情報ES_TMAP_GIを含んでいる。ここで、SOB_TMAP_GIは、対応ＳＯＢの開始アドレスを示すSOB_ADR_OFSと、そのＳＯＢのサイズを示すSOB_SZと、そのＳＯＢに含まれるデータパケットの先頭パケット位置を示すSOB_S_PKT_POSと、そのＳＯＢに含まれるデータパケットの末尾パケット位置を示すSOB_E_PKT_POSと、そのＳＯＢの基本単位であるＳＯＢＵの再生時間範囲を示すSOBU_PB_TM_RNGと、ES_TMAP_GIの数を示すES_TMAP_GI_Nsと、そのＳＯＢのインデックス番号を示すSOB_INDEXと、そのＳＯＢのタイムマップファイルの内容が最後に変更された時間を示すSTMAP_LAST_MOD_TMを含んでいる。
【００４０】
また、ES_TMAP_GIは、タイムマップが作成されたビデオエレメンタリストリームの情報SOB_ESIの番号を示すSOB_ESINと、そのエレメンタリストリームの最初のビデオフィールド（またはフレーム）の再生開始時間を示すES_S_PTMと、そのエレメンタリストリームの最後のビデオフィールド（またはフレーム）の再生開始時間を示すES_E_PTMと、そのエレメンタリストリームの開始アドレスを示すES_S_ADR_OFSと、該当SOB内の最終SOBUにおける末尾パケット位置を示すES_LAST_SOBU_E_PKT_POSと、エレメンタリタイムマップ情報内のＳＯＢＵエントリの数を示すES_SOBU_ENT_Nsを含んでいる。
【００４１】
図２２および図２３の要部を簡単に纏めれば、次のようになる。すなわち、ＶＯＢＩはＶＯＢ＿ＧＩとＴＭＡＰＩを含み、それらの中にＶＯＢ／ＶＯＢＵの時間情報と位置情報が格納されている。また、ＳＯＢＩはＳＯＢ＿ＧＩとＳＯＢ＿ＴＭＡＰＩを含み、それらの中にＳＯＢ／ＳＯＢＵの時間情報と位置情報が格納されている。
【００４２】
図２４は、再生時間ベースで管理を行うビデオレコーディング用のプログラムチェーン情報の内容および、再生時間ベースで管理を行うストリームレコーディング用のプログラムチェーン情報（ＰＧＣＩ）の内容を説明する図である。ここでは、時間ベースで再生管理が行われるVideo Recording用のＰＧＣＩと、時間ベースで再生管理が行われるタイプＡのStream Recording用のＰＧＣＩを例示している。
【００４３】
Video Recording用ＰＧＣＩは、ＰＧＣ一般情報PGC_GIと、1以上のプログラム情報PGIと、１以上のセル情報サーチポインタCI_SRPsと、１以上のセル情報CIを含んでいる。PGC_GIはプログラムの数を示すPG_Nsと、セル情報サーチポインタの数を示すCI_SRP_Nsを含んでいる。各PGIは、プログラムの保護状態を示すprotectビットを含むプログラムタイプPG_TYと、そのプログラム内のセル数C_Nsと、そのプログラムで用いるプライマリテキスト情報PRM_TXTIと、そのプログラムに対応するアイテムテキストを検索するアイテムテキストサーチポインタ番号IT_TXT_SRPNと、そのプログラムに対応する代表画像（サムネールピクチャなど）の情報REP_PICTIを含んでいる。このREP_PICTIは、代表画像に用いられる画像が存在するセルの番号CNと、そのセル内の代表画像ポイントを示すPICI_PTを含んでいる。
【００４４】
各CI_SRPは対応するセル情報の開始アドレスCI_SAを含む。また各セル情報CIは、セル一般情報C_GIと1以上のセルエントリポイント情報C_EPIを含んでいる。C_GIは、対応セルがどんなセルか（例えば動画のセルか）を示すセルタイプC_TYと、ＶＯＢＩのサーチポインタ番号VOBI_SRPNと、C_EPIの数を示すC_EPI_Nsと、そのセルのビデオ開始時間C_V_S_PTMと、そのセルのビデオ終了時間C_V_E_PTMを含んでいる。また、各C_EPIは、そのエントリポイントのタイプを示すEP_TYおよびそのエントリポイントの再生時間を示すEP_PTMのほか、適宜、プライマリテキスト情報PRM_TXTIを含むことができる。
【００４５】
同様に、Stream Recording用ＰＧＣＩ（再生時間ベースのタイプＡ）は、ＰＧＣ一般情報PGC_GIと、1以上のプログラム情報PGIと、１以上のセル情報サーチポインタCI_SRPsと、１以上のセル情報CIを含んでいる。PGC_GIはプログラムの数を示すPG_Nsと、セル情報サーチポインタの数を示すCI_SRP_Nsを含んでいる。各PGIは、プログラムの保護状態を示すprotectビットを含むプログラムタイプPG_TYと、そのプログラム内のセル数C_Nsと、そのプログラムで用いるプライマリテキスト情報PRM_TXTIと、そのプログラムに対応するアイテムテキストを検索するアイテムテキストサーチポインタ番号IT_TXT_SRPNと、そのプログラムに対応する代表画像（サムネールピクチャなど）の情報PG_REP_PICTIと、そのプログラムのリジュームマーカ情報PG_RSM_MRKIと、そのプログラムのインデックスPG_INDEXと、そのプログラムが最後に変更されたときの時間PG_LAST_MOD_TMを含んでいる。ここで、PG_REP_PICTIは、代表画像に用いられる画像が存在するセルの番号CNと、そのセル内の代表画像ポイントを示すPICI_PTと、代表画像用ビデオエレメンタリストリームのSOB＿ESI番号を示すV_SOB_ESIN
（代表画像がタイプＡのストリームセルに存在する場合）を含んでいる。
【００４６】
各CI_SRPは対応するセル情報の開始アドレスCI_SAを含む。また、再生時間ベース（タイプＡ）のストリームセル用のセル情報CIは、セル一般情報STRA_C_GIと1以上のセルエントリポイント情報STRA_C_EPIを含んでいる。STRA_C_GIは、対応セルがどんなセルか（例えば動画のセルか）を示すセルタイプC_TYと、ストリームファイル情報の番号STR_FINと、ＳＯＢＩのサーチポインタ番号SOBI_SRPNと、STRA_C_EPIの数を示すC_EPI_Nsと、そのセルの再生開始時間C_V_S_PTMと、そのセルの再生終了時間C_V_E_PTMと、そのセルでデフォルト再生されるビデオエレメンタリストリームの番号C_DEF_V_SOB_ESINを含んでいる。また、各C_EPIは、そのエントリポイントのタイプを示すEP_TYおよびそのエントリポイントの再生時間を示すEP_PTMのほか、適宜、プライマリテキスト情報PRM_TXTIを含むことができる。
【００４７】
図２５は、この発明の一実施の形態に係る情報記憶媒体（以下メモリカードで代表する）におけるファイル構造を例示する図である。このファイル構造の情報は、例えば図２１（ｂ）のルートディレクトリ内情報記録領域１１２に格納できる。メモリカード全体の管理情報（Navigation Data）は、AV Information Directory内のManagement Information Fileおよびそのバックアップファイルに格納される。このManagement Information Fileに、図２１（ｅ）〜（ｉ）の管理情報を記録できる。メモリカードに記録されるビデオオブジェクトＶＯＢはVideo Recording Directory for Files related in VOBsに記録され、メモリカードに記録されるストリームオブジェクトＳＯＢはStream Recording Directory for Files related in SOBsに記録される。その他の情報は、適宜、Other Directoriesの別ファイルに格納される。
【００４８】
Video Recording Directoryは、ＶＯＢ用のタイムマップファイル（TMAP Files）およびそのバックアップファイルと、ＶＯＢ用のオブジェクトファイル（VRO Files）を含み、さらに、VRO Filesの先頭にＶＯＢＩの情報（記録されたＶＯＢの時間情報やタイムマップ情報など）をコピーしたビデオオブジェクト情報ファイル（VOBI Files）を含んでいる（図２１（ｂ）の記録領域１１２参照）。
【００４９】
また、Stream Recording Directoryは、ＳＯＢ用のナビゲーションデータファイル（Stream File Information Files）およびそのバックアップファイルと、ＳＯＢ用のタイムマップファイル（TMAP Files）およびそのバックアップファイルと、ＳＯＢ用のオブジェクトファイル（SRO Files）を含み、さらに、SRO Filesの先頭にSＯＢＩの情報（記録されたＳＯＢの時間情報やタイムマップ情報など）をコピーしたストリームオブジェクト情報ファイル（SOBI Files）を含んでいる（図２１（ｂ）の記録領域１１２参照）。
【００５０】
なお、図２５のManagement Information File内）には、個々のメモリカードの代表画像情報（Card_REP_PICTI）を記録することができる。このCard_REP_PICTIには、そのメモリカードの代表画像が存在するか否かを示す情報（例えばプログラムチェーン番号PGCNの情報を利用し、PGCN=0でカード代表画像の存在を示す）と、カード代表画像が存在するプログラムの番号を示す情報（PGN）と、カード代表画像が存在するセルの番号を示す情報（CN）と、そのセル内の代表画像ポイントを示す情報（PICI_PT）と、カード代表画像が作成された時間を示す情報（Card_REP_PICTI_CREATE_TM）が含まれる。このCard_REP_PICTI_CREATE_TMは、該当メモリカードの代表画像が作成されたときの時間を示す。Card_REP_PICTI_CREATE_TMは、最初にカード代表画像が作成されたときの時間に固定されていてもよいが、最初に作成されたカード代表画像がその後１回以上変更されたときは、最後に変更されたときの時間としてもよい。
【００５１】
現在システムに組み込まれている多数のメモリカードをCard_REP_PICTI_CREATE_TMの順番にソートすれば、その順番でメモリカードのサムネール画像を並べて表示できる。つまり、多数のメモリカードのソートに使う情報として、各メモリカード毎にユニークな固有IDあるいは各メモリカードにユーザが付したカード名（テキスト）のほかに、Card_REP_PICTI_CREATE_TMを用いることができる。
【００５２】
図１６は、メモリ蓄積棚（メモリカードバンク）に装着または装填された１以上のメモリカードそれぞれのデータエリアに対するボリューム構造を例示する図である。このボリューム構造におけるファイルシステムレイアウトは、Partition AreaとRegular Areaを含んでいる。Partition AreaはMaster Boot RecordとPartition Tableからなる。また、Regular AreaはSystem AreaとUser Areaを含んでいる。System AreaはPartition Boot Sector and FS Info (File System Information)とFile Allocation Table (FAT)からなり、User AreaにはUser Dataが格納される。
【００５３】
図示しないが、Partition Boot Sector内には、媒体の識別子（Medium Identifier）、媒体の物理番号（Physical Disc Number）、ボリューム識別子番号（Volume ID Number）、ＦＡＴのエントリ値（FAT Entry Value）などが記述される。このＦＡＴのエントリ値には、既にアロケートされている該当クラスタを示す値が記述される。また、該当ファイルの最終クラスタが既にアロケートされているか否かの記述もＦＡＴのエントリ値に含めることができる。
【００５４】
図１７は、ボリューム構造内のシステムエリアのレイアウトを例示する図である。System AreaはPartition Boot Sector、FS Info Sector、予備のboot sectorおよびそれらのバックアップセクタを含んでいる。また、File Allocation Table (FAT)は、１以上のFile Allocation Tableを含むようになっている。
【００５５】
図１８は、ボリューム構造内のパーティションエリアに含まれる、マスターブートレコードおよび複数パーティションテーブルを含むデータフィールドを例示する図である。Master Boot Recordはシステムが自由に使用できる記録エリアで、例えば、ＶＯＢＩまたはＳＯＢＩの情報（オブジェクトの記録開始時刻等を含む情報、オブジェクトの記録位置とその再生時間との対応関係を示すタイムマップ情報など）を記録できる。Partition Tableは１以上のpartitionに対して設けられており、ユーザは、相互認証処理をすることなく各partitionにアクセスできる。これらのMaster Boot RecordおよびPartition Tableに対する署名は、適宜Signature Wordのエリアに格納できる。
【００５６】
図１９は、各パーティションテーブルの内部フィールドを例示する図である。このPertition Tableは、Boot Indicatorと、Starting Headと、Starting Sector/Starting Cylinderと、System IDと、Ending Headと、Ending Sector/ Ending Cylinderと、Relative Sectorと、Total Sectorを含んでいる。
【００５７】
Boot Indicatorには、該当メモリカードがシステムブートに使われるか否かを示すコードが記述される。システムブートに使われるような記述を各メモリカードのBoot Indicatorでしておけば、それらのメモリカードのどれがシステムに接続されてもシステムブートを自動的に行うことができる。システムブートを可能とするメモリカードが複数ある場合は、システムが最初に認識したメモリカードにより、ブートが行われる。
【００５８】
Starting Headは、対応pertitionが開始する先頭を示す。Starting Sector/Starting Cylinderは、対応pertitionの開始セクタおよび開始シリンダを示す。  
System IDには、対応pertitionの終了位置が所定バイト（例えば０．８ＧＢ〜１ＧＢ）より小さいか否かを示すコードが記述される。  
Ending Headは、対応pertitionが終了する先頭を示す。Ending Sector/ Ending Cylinderは対応pertitionの終了セクタおよび終了シリンダを示す。  
Relative Sectorには、対応pertitionの開始セクタの前に存在するセクタ数が記述される。Total Sectorには対応pertitionの全セクタ数が記述される。
【００５９】
図２０は、ファイルディレクトリのエントリフィールドの内部フィールドを例示する図である。このDirectory Entry Fieldは、Name and Name Extensionと、Attributeと、Reserved for NTと、Created Time Tenthと、Created Timeと、Created Dateと、Last Access Dateと、Starting Cluster Number Highと、Time Recordedと、Date Recordedと、Starting Cluster Number Lowと、File Lengthを含んでいる。
【００６０】
Name and Name Extensionには、該当ファイルの名称を示すキャラクタコード、あるいは該当フィールドを含むエントリにより記述されるサブディレクトリの名称を示すキャラクタコードが記述される。
【００６１】
Attributeには、各エントリの属性情報が記述される。この属性情報は、該当ファイルの変更を禁止する情報、対応ファイルまたは対応サブディレクトリを表示対象から外す情報、対応エントリがボリュームラベルを含むことを示す情報、対応エントリがディレクトリであることを示す情報、対応ファイルが作成されたときに設定され対応ファイルの特性が変更されたことを示す情報などを含むことができる。
【００６２】
Reserved for NTは将来の使用のためにリザーブされている。Created Time Tenthには１／１０秒単位でファイル作成時間が記述される。Created Timeにはファイル作成時間が記述される。Created Dateにはファイル作成日が記述される。Last Access Dateには、該当エントリにより記述されるファイルまたはディレクトリに対する最後の読み書き操作をもって最終アクセスとする場合において、その最終アクセスの日が記述される。
【００６３】
Starting Cluster Number Highには、該当エントリにより示されるファイルまたはディレクトリに対する最初のデータクラスタ番号の上位ワードが記述される。Starting Cluster Number Lowには、該当エントリにより示されるファイルまたはディレクトリに対する最初のデータクラスタ番号の下位ワードが記述される。
【００６４】
Time Recordedには、最後の変更（書き込み）時間が記述される。ファイルが作成された当初は、このTime RecordedはCreated Timeと同じになる。Date Recordedには、最後の変更（書き込み）日が記述される。ファイルが作成された当初は、このDate RecordedはCreated Dateと同じになる。File Lengthには、該当エントリにより示されるファイルまたはディレクトリに含まれるデータサイズが記述される。
【００６５】
図１は、この発明の一実施の形態におけるホームサーバまたは情報記録再生装置を利用したホームネットワークシステムを示す。動画や音声またはその他の各種情報が光ケーブル１１を経由して各家庭内に配信される。この光ケーブル１１を経由して各家庭内に配信された各種情報は、モデムルータ３で中継された後に、この発明の一実施の形態に示すホームサーバ（あるいは情報記録再生装置）１内に転送され、最終的に情報記憶媒体（メモリカードなど）３１内に記録保存される。また、ホームサーバ（あるいは情報記録再生装置）１とモデムルータ３間での情報の高速転送が可能なように、ホームサーバ（あるいは情報記録再生装置）１とモデムルータ３間も光ケーブル１１で接続されている。ここで、ホームサーバ（あるいは情報記録再生装置）１内は、一度に複数の情報記憶媒体３１が同時装着可能となっている。ここに、この実施の形態の大きな特徴がある。モデムルータ３を経由して転送される動画や音声またはその他の各種情報は、複数の情報記憶媒体３１内に分散記録されることで、ホームサーバ１内の記録容量の大容量化を可能としている。
【００６６】
後述するように、このホームサーバ（あるいは情報記録再生装置）１内は、複数の情報記憶媒体３１が装着される記録再生部１８と、その制御部１７で構成されている。この記録再生部１８は、増設拡張を行う事でホームサーバ１内に記録できる最大容量の増加が可能となっている。ここで、制御部１７にはモデムルータ３に接続されている光ケーブル１１やＥＨＤＭＩ（Enhanced High Definition Multimedia Interface）ケーブル１２が直接接続可能となっており、各種情報の転送制御や、ホームネットワークシステムに接続されている全機器の動作制御を行う。（この動作制御は、主にユーザによるリモコン２の操作に基付く。）また、このこの制御部１７と記録再生部１８間は、各種情報の高速転送が可能なように特殊な専用ケーブル１４で接続されているが、それに限らず例えばＵＳＢ（Universal Serial Bus）による接続も可能である。
【００６７】
このホームサーバ（あるいは情報記録再生装置）１とＴＶモニタ８は前述したＥＨＤＭＩケーブル１２により接続されており、複数の情報記憶媒体３１内に分散記録された各種情報（記録情報のサムネールなど）の一覧がＴＶモニタ８に表示可能となっている。その表示結果に基付いてユーザが視聴したい情報をリモコン２で指定すると、赤外線１３を介したリモコン２での指定情報をホームサーバ１が受け取る。ホームサーバ１はその指定情報が記録されている情報記憶媒体３１から再生した情報をＴＶモニタ８に表示する。
【００６８】
また、図１に示す実施の形態では、ＤＶＤレコーダ９やＴＶゲーム機１０、あるいはパーソナルコンピュータ４、プリンタ５、スキャナ６、ディスプレイ７などの家庭内のデジタル機器が同じＥＨＤＭＩケーブル１２により接続されている。そのため、ユーザによるリモコン２での指定により、ホームサーバ（あるいは情報記録再生装置）１内に保存された各種情報とパーソナルコンピュータ４やＤＶＤレコーダ９内に保存された各種情報との間の移動やコピーが可能となっている。
【００６９】
なお、図示しないが、ＴＶモニタ８およびＤＶＤレコーダは地上デジタル放送チューナおよび／または衛星デジタル放送チューナを内臓しており、デジタル放送のストリーム（ＭＰＥＧ−ＴＳ）をホームサーバ１との間で送受することも可能になっている。
【００７０】
図２は、拡張ＨＤＭＩ通信における階層構造を説明する図である。図１に示したＥＨＤＭＩ（Enhanced High Definition Multimedia Interface）とは、イーサーネット（登録商標）機能を持ったＨＤＭＩ（High Definition Multimedia Interface）を示し、図２に示す情報転送時の階層構造を持つ。すなわち最下層では物理的なイーサーネットレイヤ２１が設定されており、その上に通信プロトコルを示すＴＣＰ／ＩＰレイヤ２２が規定されている。ＥＨＤＭＩケーブル１２間で接続された各種機器間では、その上のＤＬＮＡ（Digital Link Network Assistant）レイヤ２３で規定された各種コマンドを発行する事で各種情報の転送処理あるいは他の機器に対する制御処理が可能となっている。
【００７１】
図３は、前述した記録再生部１８内に脱着可能でかつ情報の記録再生が可能な情報記憶媒体（メモリカード）３１ｘ内の構造例を示す。外形は幅Ｗ、長さＬ、厚みＴの薄形直方体の一部に切り欠き部２８を持った形をしている。内部には、例えばＮＡＮＤ形フラッシュメモリを内蔵した情報記録用チップ３２が配置され、その中のフラッシュメモリ部３３内に各種情報が記録される。また前記情報記録用チップ３２内の残りの部分には情報記憶媒体内制御部３４が配置されたモノリシック構造をしている。
【００７２】
この情報記憶媒体内制御部３４内には、フラッシュメモリ部３３への各種情報の記録と再生を制御しかつフラッシュメモリ部３３内の記録場所を設定する情報記録／再生制御部４０が存在し、フラッシュメモリ部３３との間のインターフェース部を構成している。また、情報記憶媒体３１内の統合的動作を制御する情報記憶媒体内コントローラ３９およびフラッシュメモリ部３３内に記録された各種情報の不正コピーや不正漏洩を防止するセキュリティ制御部３８も、この情報記憶媒体内制御部３４内に含まれる。
【００７３】
図３に示した実施の形態では、無線通信を用いて情報記憶媒体３１との間の各種情報の転送処理を行っている。そのため、無線通信を可能にする無線通信用アンテナ３５と無線通信制御用チップ３６も内蔵されている。また同時にＲＦ供電形電源発生部４１では無線通信用アンテナ３５で受信した無線の電磁波エネルギから電力を発生させ、無線通信制御用チップ３６とフラッシュメモリ内蔵情報記録用チップ３２の電源を供給している。更に、情報記憶媒体内制御部３４の中に含まれる無線通信情報のインターフェース部３７は、直接無線通信制御用チップ３６に電気回路的に接続しており、記録再生部１８へ向けて出力する情報の送信制御および記録再生部１８から送られてくる情報の受信制御を行っている。
【００７４】
図４は、この発明の他の実施の形態に係る情報記憶媒体（メモリカード）３１ｙの内部構成を説明する図である。図３では記録再生部１８との各種情報の転送処理（およびエネルギ転送）を無線通信で行っているのに対し、図４の実施の形態では各種情報の転送処理（およびエネルギ転送）に可視光または赤外線などの非可視光を利用している。情報記憶媒体３１ｙと記録再生部１８との間の情報転送には高速性が要求されるので、各種情報の受光にはＰＩＮ形光検出器２４が使用され、ここで光電変換された各種情報の信号は光検出情報のインターフェース部２５に転送される。またフラッシュメモリ部３３に予め記録された情報をホームサーバ（または情報記録再生装置）１内の記録再生部１８へ向けて出力する場合には、光検出情報のインターフェース部２５がＬＥＤ駆動用チップ２９を駆動してＬＥＤ発光素子３０の点滅により各種情報の信号が出力される。
【００７５】
この情報記憶媒体３１ｙ内の各チップに供給される電力は、ホームサーバ（または情報記録再生装置）１内の記録再生部１８から光エネルギとして供給される。すなわち記録再生部１８から供給される光エネルギは太陽電池２６で受け、受光形電源発生部２７から各チップに対する電源が供給される。
【００７６】
なお、上記の例では光による情報受信部（光検出器２４）と光による情報送信部（発光素子３０）を別々の場所に配置された独立素子としているが、これらは一箇所に集中していてもよい。すなわち、ＬＥＤ発光素子３０ａと高速フォトダイオード３０ｂをワンパッケージに纏めた光送受信素子を用いるようにしてもよい。このようにワンパッケージ化しておくと、記録再生部１８側の光送受信素子（図示せず）とメモリカード３１ｙ側の光送受信素子とを向かい合わせる際の位置合わせ（位置決め）が容易となる。（個別の送光部と受光部の２箇所で同時に位置合わせするには、それなりの機構精度が要求される。しかし、送光部と受光部を分けて離しておくと、送光と受光を同時に行う場合では送受光間の相互干渉を避けることができる。）
図５は、この発明の一実施の形態に係るメモリ蓄積棚（メモリカードバンク）の一例を説明する図である。図１を用いて説明したように、この発明の一実施の形態に示すホームサーバ（あるいは情報記録再生装置）１内は制御部１７と記録再生部１８に機械的に分割され、特殊（専用）ケーブル１４で接続されている。この記録再生部１８の構造を図５に示す。前述した特殊ケーブル１４は、特殊ケーブルのコネクタ４４で記録再生部１８に電気的に接続される。この特殊ケーブル１４内を伝わって転送される各種情報は、直接記録再生部内コントローラ４３内に入力される。ここで、記録再生部１８内には、図３または図４で説明した情報記録用チップ３２と同様な構造を有する内蔵形情報記憶媒体４２が予め組み込まれている。ここにもこの実施の形態の特徴がある。
【００７７】
ホームサーバ（あるいは情報記録再生装置）１内の制御部１７から記録再生部内コントローラ４３へ直接転送された各種情報は、この記録再生部内コントローラ４３内でシリアル／パラレル変換（時系列的に細かく分割）されて、全ての内蔵形情報記憶媒体４２内に同時に一時記録（分散配置記録）される。図３または図４で説明した１個のフラッシュメモリ部３３への情報の転送速度が比較的遅くても、上述したようにシリアル／パラレル変換に基付く分散記録処理を行う（並列転送を行う）事で、実質的な転送速度が大幅に向上する（図５に示した実施の形態では、内蔵形情報記憶媒体４２が４個内蔵されているので、実質的な転送速度はほぼ４倍に向上する）。
【００７８】
この内蔵形情報記憶媒体４２への情報の記録が完了すると、情報記録再生装置（ホームサーバ）１内の制御部１７は全ての内蔵形情報記憶媒体４２に一時記録されている情報を同時に再生すると共に、記録再生部内コントローラ４３内部でパラレル／シリアル変換させ（分散配置記録された個々の情報を時系列的に一列に組み合わせ）、１個の脱着可能な情報記憶媒体３１内に再記録処理を行う。この再記録処理は、早いに越したことはないが、デジタル放送のリアルタイムレコーディング時に要求される速度より遅くてもよい。この再記録処理が完了すると、制御部１７は内蔵形情報記憶媒体４２に一時記録されている情報に対する削除処理を行う。
【００７９】
これにより、光ケーブル１１で接続されたモデムルータ３またはＥＨＤＭＩケーブル１２で接続されたホームネットワークシステム内の各種機器から見た時の情報記録再生装置（ホームサーバ）１に対する情報の転送速度を大幅に向上できると共に、光ケーブル１１またはＥＨＤＭＩケーブル１２内で情報転送され無い時間を活用した制御時間の有効活用（その時間を利用して媒体４２にバッファリングされた情報を媒体３１へ移動させるなど）が可能となる。
【００８０】
図３または図４に示した構造を有する脱着可能な情報記憶媒体３１（メモリカード３１ｘまたは３１ｙ）は、図５に示すように、情報記憶媒体の挿入用ガイド５１に沿ってスライドさせて記録再生部１８内に装着する。この脱着可能な情報記憶媒体３１が装着された状態では、情報の入出力用接続部５０が隣接配置されている。脱着可能な情報記憶媒体３１内の構造が図３に示した構造を有する場合には、この情報の入出力用接続部５０内にアンテナが内装されており、脱着可能な情報記憶媒体３１（メモリカード３１ｘ）に対する電源（電力エネルギ）の供給と各種情報の入出力処理は電波を介して行われる。また、図４に示した構造を有する場合には、この情報の入出力用接続部５０内には発光素子と受光素子が内装されており、脱着可能な情報記憶媒体３１（メモリカード３１ｙ）に対して、発光素子による電源（電力エネルギ）の供給と情報の記録処理、受光素子による情報の再生処理が行われる（後述する図６の下段参照）。
【００８１】
図５に示すように、いずれの脱着可能な情報記憶媒体３１が装着された場合も、媒体３１（メモリカード３１ｘまたは３１ｙ）が情報記録再生装置の外壁４６から突出しない構造となっている。すなわち、装着時の脱着可能な情報記憶媒体３１の最も手前側の面が情報記録再生装置の外壁４６よりも Ｄ の長さだけ引っ込むように設計されている。このように配置させることで、ユーザが情報記録再生装置の外壁４６に触れても、直接ユーザが脱着可能な情報記憶媒体３１の一部に触れないため、情報記憶媒体３１に対する情報の記録再生処理が安定する。機械部品の寸法精度は、最高精度で±０.０３ｍｍ、一般的には±０.２ｍｍと言われている。従ってこの記録再生部１８を安価にユーザに提供するには、上記 Ｄ の値を ０.２ｍｍ 以上に設定する事が望ましい。また、この記録再生部１８が比較的高価になっても構わない場合には、最低でも、上記 Ｄ の値を ０.０３ｍｍ 以上に設定する。
【００８２】
更にこの脱着可能な情報記憶媒体３１の記録再生部１８からの離脱処理をユーザへの引き抜き処理を前提とすると、この記録再生部１８を一層安価にユーザに提供できる。具体的な離脱処理方法としては、複数装着されている脱着可能な情報記憶媒体３１の間の隙間（隣接する情報記憶媒体の挿入用ガイド５１の間で情報の入出力用接続部５０の手前位置）に指を挿入し、脱着可能な情報記憶媒体３１を２本の指で挟んだ形で手前に引き抜く。この引き抜き処理を可能にするには、隣接位置に配置された脱着可能な情報記憶媒体３１間の隙間を特定の長さ以上に設定する。装着時の隣接するこの情報記憶媒体３１間の間隔をＰs、図３に示すように情報記憶媒体３１の厚みをＴとした時、この隙間はＰs−Ｔとなる。成人男性の指太さは１.５ｃｍ前後なので、このＰs−Ｔの値を最低でも０.５ｃｍ（１.５ｃｍの１／３）、望ましくは１.５ｃｍ開けると良い。
【００８３】
図５に示す実施の形態では、脱着可能な情報記憶媒体３１毎に情報記憶媒体毎の動作状態表示灯４９（例えば緑色に発光するＬＥＤ）と、情報記憶媒体への記録状態表示灯４８（例えば赤色に発光するＬＥＤ）が標準装備されている。この記録再生部１８に複数の脱着可能な情報記憶媒体３１を装着した場合には、実際にどの情報記憶媒体３１が使用中かユーザは判断し辛い。各種コンテンツ情報または管理情報へのアクセスや再生時に、その上に配置された情報記憶媒体毎の動作状態表示灯４９が点灯すると、ユーザはどの情報記憶媒体３１に特定の情報が記録されているかが分かる。更に特定の情報記憶媒体３１に情報を記録している時に情報記憶媒体への記録状態表示灯４８が点灯すると、記録途中の情報記憶媒体３１をユーザが誤って離脱処理せずに済む。なお、記録再生部の上面４７には記録再生拡張部に対する電気信号接続部４５が配置されている。
【００８４】
図６は、この発明の一実施の形態に係るメモリ蓄積棚（メモリカードバンク）の他例を説明する図である。記録再生部の上面４７（図５参照）には記録再生拡張部に対する電気信号接続部４５が配置されている。この電気信号接続部４５を介して電気的に接続する事で、記録再生部１８の直上に記録再生拡張部５２を乗せて記録再生部を増設し、情報記録再生装置（ホームサーバ）１内へ記録可能な容量を増やすことができる。記録再生部の上面４７に記録再生拡張部５２を増設した応用例を図６に示す。記録再生拡張部５２の上面５３にも別の記録再生拡張部に対する電気信号接続部４５が設置されており、ここへ電気的に接続する事で記録再生拡張部５２の上に更に次の記録再生拡張部５２を乗せて増設することもできる。この実施の形態では、機械的強度が確保されている限り、基本的に何段でも記録再生拡張部５２の拡張増設が可能になっている。
【００８５】
この記録再生拡張部５２では、記録再生部１８のように内蔵形情報記憶媒体４２を内蔵していないが、多数の脱着可能な情報記憶媒体３１の装着が可能となっている。またこの記録再生拡張部５２でも、情報記憶媒体の挿入用ガイド５１が形成されており、この情報記憶媒体の挿入用ガイド５１に沿って脱着可能な情報記憶媒体３１の装着を行う。この脱着可能な情報記憶媒体３１が装着された状態で、情報の入出力用接続部５０が隣接配置されている。そして各脱着可能な情報記憶媒体３１毎に情報記憶媒体毎の動作状態表示灯４９と情報記憶媒体への記録状態表示灯４８が設置されている。
【００８６】
なお、情報記憶媒体３１が図４の構成を持つメモリカード３１ｙであり、その光送受信素子がワンパッケージ化されている場合は、それ用の入出力用接続部５０ｙには、図６の下段に破線で囲ったような構成の給電用光源（高輝度ＬＥＤ）２６ｙと、光送受信素子（高速点滅可能なＬＥＤ３０ｙａ＋高速フォトダイオード３０ｙｂ）が配置される。
【００８７】
図７は、この発明の他の実施の形態に係るメモリ蓄積棚（ＵＳＢメモリカードバンク）を説明する図である。このＵＳＢメモリバンクにより記録再生部１８が構成される。ここでは情報記録再生装置（ホームサーバ）１内の制御部１７との接続にＵＳＢ端子６０を使用し、ＵＳＢ端子のインターフェース制御部５９が内蔵されている。この記録再生部１８内には記録再生部内の記録再生制御部５８が内蔵されており、ＵＳＢ端子のインターフェース制御部５９への指示と各情報記憶媒体３１に対する情報転送制御を行っている。この記録再生部内の記録再生制御部５８に接続されたバスラインは、各情報記憶媒体３１に対する各種情報の転送に使われるデータ用バスライン５６と、各情報記憶媒体３１に対してコマンドを発行して各情報記憶媒体３１からステータスを回収する制御用バスライン５７から構成されている。なお、図７に示す実施の形態では、内蔵用情報記憶媒体４２は標準装備されない。また、この実施の形態で用いられる情報記憶媒体（小型のメモリカード）３１の一部のエッジは、外部機器との接続と給電のために電気接点（図示せず）を装備している。
【００８８】
情報記憶媒体３１が装着される受け側にはそれぞれソケット５４が配置されている。このソケット５４に情報記憶媒体３１の電極装備側エッジが押入されると、情報記憶媒体３１は、電気的な接続が確立された状態で機械的にロックされる。このソケット５４は、ノック式のボールペンのように情報記憶媒体３１を深く挿入することで長さＳだけ延びる（情報記憶媒体３１を押し戻す）ようなスプリングバック構造を持っている。そのため、長さＳだけソケットが延びた状態（（ａ）から（ｂ）に変化した状態）で情報記憶媒体３１の一部が記録再生部１８から突き出されると、情報記憶媒体３１の突出端を摘むことで離脱処理が可能となる。
【００８９】
図７に示す構造の場合には、情報記憶媒体３１の装着時に隣接した情報記憶媒体間の距離Ｐsと情報記憶媒体３１の厚みＴに対して、必ずしもＰs−Ｔ≧０.５ｍｍを満足する必要は無い。しかし情報記憶媒体３１の外形寸法に対して余りにもＰsが短過ぎると使い辛くなる。Ｐsが短すぎると指５５の押し方で他の情報記憶媒体３１を誤って押してしまう危険性があるからである。試作実験により使い易い限界を調べると、
Ｐs／Ｌ≧０.１（図３に示すようにＬは情報記憶媒体３１の長さを意味する）またはＰs／Ｗ≧０.１（図３に示すようにＷは情報記憶媒体３１の幅を意味する）またはＰs／Ｓ≧０.１が必須条件となり、Ｐs／Ｌ≧０.５またはＰs／Ｓ≧０.５またはＰs／Ｓ≧０.５の条件が望ましい事が分かった。
【００９０】
この発明の実施の形態に係る情報記憶媒体を用いた装置もしくはホームサーバは、次のような内容を含む：
１．《装着時のメモリカード間の隙間を指が入るように開ける》
情報の記録と再生が可能かつ脱着可能な情報記憶媒体との間で前記情報の入出力を行う接続部（ソケットまたは無線／赤外線通信Ｉ／Ｆ部）を複数具備するとともに、
装着時の隣接する前記情報記憶媒体間の間隔をＰs 、前記情報記憶媒体の厚みをＴとした時、Ｐs−Ｔの値が５ｍｍ以上となる事を特徴とする情報記録再生装置またはホームサーバ。
【００９１】
２．《装着時のメモリカードの一部が情報記録再生装置の外壁よりも突出しない》
情報の記録と再生が可能かつ脱着可能な情報記憶媒体を同時に複数装着可能な情報記録再生装置において、複数の前記情報記憶媒体を装着した時の少なくとも１個の前記情報記憶媒体が、前記情報記録再生装置の外壁よりも突出しない構造を有した事を特徴とする情報記録再生装置またはホームサーバ。
【００９２】
３．コンテンツに対する、複数の情報記憶媒体への同一フォーマットでの同時記録を行わない（同一コンテンツに対して、異なるフォーマット毎に別の情報記憶媒体への同期記録は可能とする）。
【００９３】
４．コンテンツの再生単位（セル）は個々の情報記憶媒体内で定義可能とし（複数の情報記憶媒体に跨ったセルの設定を禁止し）、その管理情報（セル情報ＣＩ）内には、情報記憶媒体の識別情報が含まれるようにする。
【００９４】
５．情報記憶媒体毎に再生に関する管理情報を記録し、各情報記憶媒体内に記録された管理情報を統合してメニュー表示できるようにする。
【００９５】
６．少なくともコンテンツ内の特定単位（オブジェクトの基本単位ＶＯＢＵ）毎の録画時刻を推定できる情報をコンテンツと共に記録する。
【００９６】
７．同一コンテンツが複数の情報記憶媒体内に分散記録された場合には、録画時刻順に再生可能とする。
【００９７】
図８は、この発明のさらに他の実施の形態に係るメモリ蓄積棚（電子レンジのような収納部を持つメモリカードバンク）を説明する図である。図８は、図１に示す情報記録再生装置（ホームサーバ）１内の記録再生部１８に関する他の実施の形態である。図５や図７に示す記録再生部１８では、記録再生部１８への脱着可能な情報記憶媒体３１の装着時には情報記憶媒体の挿入用ガイド５１やソケット５４に沿ってこの脱着可能な情報記憶媒体３１を挿入する必要があり、ユーザへの手間が発生する。図８に示す記録再生部１８では、脱着可能な情報記憶媒体の保存場所（メモリカード収納キャビティ）６１内にこの脱着可能な情報記憶媒体３１を入れるだけで良い構成としている。
【００９８】
図８の例示では、脱着可能な情報記憶媒体（図３の構造を持つメモリカード）３１ｘの保存場所６１内に出し入れ自在な情報記憶媒体３１ｘを寝かせた形で重ねて置いてある。ユーザが新たな情報記憶媒体３１ｘをこの記録再生部１８内に装着する場合には、現状最も上部に重ねてある脱着可能な情報記憶媒体３１の上に乗せるか、無造作に放り込むだけで良い。（個々のメモリカードはそれらのカード固有ＩＤで識別できるので、キャビティ６１内におけるメモリカードの積み重ね状態はどうでもよい。）その結果、ユーザによる脱着可能な情報記憶媒体３１の挿入処理が不要となり、ユーザの利便性が大幅に向上する。また、図３に示す情報記憶媒体３１では無線通信による情報の入出力（記録再生）処理と給電が可能なので、保存場所６１内の上面に配置された情報記憶媒体に対する情報入出力（記録再生）用と電源供給用アンテナ６２ｘ（およびアンテナ６２ｘと互いに直交する向きの補助アンテナ６２ｙ、６２ｚ）に必要な電流を流す事で、情報記憶媒体３１に対する情報の入出力（記録再生）と情報記憶媒体３１に対する電源供給が可能となる。このアンテナ６２（６２ｘ〜６２ｚ）に対する駆動電流は、アンテナ駆動用回路部６３から供給される。無線通信の場合、ループ形状のアンテナの向きが送信側と受信側で同じ方向を向いている場合が最も通信が安定し（転送されるキャリア振幅が大きく）、直交関係にあると無線通信し辛い特徴がある。しかし、図８に示すようにｘ−ｙ−ｚの直交３軸方向にアンテナを配備しておけば、情報記憶媒体３１ｘが保存場所６１内でどの方向を向いていても無線通信と無線給電は可能になる。つまり、保存場所６１内に無造作に情報記憶媒体３１ｘを放り込むだけで、それらの媒体がプラグ・アンド・プレイでシステムに接続され、利用可能になる。
【００９９】
なお、図８の例示では、保存場所６１内で全ての情報記憶媒体３１ｘが横置きされている。このように配置された場合には、図３から分かるようにこの情報記憶媒体３１ｘ内の無線通信用アンテナ３内のループ平面は図８において水平方向に向く。それに対して情報記憶媒体に対する情報入出力（記録再生）用と電源供給用アンテナ６２ｘのループ平面も図８において水平方向に向くため、情報記憶媒体３１ｘに対する無線通信の送受信が最も安定する。そのため、情報記憶媒体３１ｘが常に横置きされる場合は、補助アンテナ６２ｙおよび／または６２ｚは省略できる。
【０１００】
内蔵形情報記憶媒体４２が図３の構造を持つ場合、この媒体４２は情報再生部１８内で縦置きに配置されてるため、補助アンテナ６２ｚがない場合では、媒体４２中の無線通信用アンテナ３５のループ平面は情報記憶媒体に対する情報入出力（記録再生）用と電源供給用アンテナ６２ｘのループ平面と互いに直行の関係にある。その結果、情報記憶媒体３１ｘに対する情報入出力（記録再生）用と電源供給用アンテナ６２から発生する電磁波が内蔵形情報記憶媒体４２へ及ぼす影響を最大限除去できる。
【０１０１】
図８に示すようにｘ−ｙ−ｚの直交３軸方向にアンテナが配備される場合は、内蔵形情報記憶媒体４２は無線通信の同調周波数を情報記憶媒体３１ｘの同調周波数と別にして周波数分離するか、内蔵形情報記憶媒体４２を図４に示すように光通信タイプにするか、内蔵形情報記憶媒体４２を電気接点接続タイプ（図示せず）とすればよい。
【０１０２】
なお、情報再生部１８の上部には記録再生拡張部に対する電気信号接続部４５が配置されており、ここでの電気接続により情報再生部１８の上に記録再生拡張部５２を増設して記録可能な総容量を増加できる。
【０１０３】
次に、図８の構成を用いた図１のホームサーバにおける、情報の流れに付いて説明する。光ケーブル１１を経由してモデムルータ３から転送された各種情報（図１）は、ホームサーバ（情報記録再生装置）１内の制御部１７を介して特殊ケーブル１４経由で情報再生部１８内の記録再生部内コントローラ４３（図８）内に転送される。次にこの記録再生部内コントローラ４３内でシリアル／パラレル変換されて、内蔵形情報記憶媒体４２内に高速で一時保存（一時記録）される。この内蔵形情報記憶媒体４２内への一時保存が完了すると、制御部１７の指示に従ってこの内蔵形情報記憶媒体４２内から読み出された各種情報は記録再生部内コントローラ４３内でパラレル／シリアル変換される。このパラレル／シリアル変換後の情報はアンテナ駆動用回路部６３に転送され、この情報に対応した変調信号に合わせて情報記憶媒体３１ｘに対する情報入出力（記録再生）用と電源供給用アンテナ６２（６２ｘ〜６２ｚ）に電流が駆動され、指定された脱着可能な情報記憶媒体３１ｘ内に記録（情報保存）される。
【０１０４】
一方、脱着可能な情報記憶媒体３１ｘに予め記録された情報は、無線通信によりアンテナ６２（６２ｘ〜６２ｚ）で読み取られ、アンテナ駆動用回路部６３と記録再生用コントローラ４３、特殊ケーブル１４内を順次経由して制御部１７（図１参照）に転送される。その後、この制御部１７からＥＨＤＭＩケーブル１２を経由して、情報記憶媒体３１ｘから読み取られたＡＶ情報などがＴＶモニタ８で表示される。
【０１０５】
図９は、メモリ蓄積棚（メモリカードバンク）の制御部の構成例を説明する図である。図１に示した制御部１７内のシステム構造は、図９のようになっている。すなわち、リモコン２から出力された赤外線１３は、この制御部１７内のリモコンコントローラ７１内で受信され、その受信結果が統合制御系７３へ転送される。この統合制御系７３は、制御部１７内の各パートを統合的に制御し、情報記憶媒体３１間の各種情報の入出力（記録再生）制御やこの情報記憶媒体内に記録された全情報に対するメニュー画面表示制御やリモコンで入力されたユーザ要求に基付く各種情報の転送制御などを行う。
【０１０６】
光ケーブル１１を経由してモデムルータ３から転送された各種情報は、モデムルータコントローラ７２内に転送される。このモデムルータコントローラ７２内に転送された各種情報の種別（映像か音声か静止画像か一般的なコンピュータ情報か）とその各種情報に関する属性情報や管理情報は、前述した統合制御系７３内に入力され、ホームサーバ（情報記録再生装置）１として最適に動作するようにこの統合制御系７３が制御する。
【０１０７】
一方、映像情報など間断無く高速転送が必要な情報は、モデムルータコントローラ７２から直接記録再生部間情報転送コントローラ７７に転送される。この記録再生部間情報転送コントローラ７７は、統合制御系７３からの指示に基付き、制御部１７と記録再生部１８間の情報の転送処理および、記録再生部１８内に装着された内蔵形情報記憶媒体４２と脱着可能な情報記憶媒体３１との間の情報の転送や移動処理を制御する。ここで、制御部１７と記録再生部１８間を接続する特殊ケーブル（専用ケーブル）１４内には、各種情報そのものの転送に利用されるデータ用ライン７８（図７のデータ用バスライン５６に対応）と、個々の情報記憶媒体３１に対するコマンド情報の転送とステータス情報の回収に利用される制御用ライン７９（図７の制御用バスライン５７に対応）が含まれている。
【０１０８】
なお、図７のＵＳＢメモリバンクは、ＵＳＢインターフェースコントローラ７０を介して記録再生部間情報転送コントローラ７７に接続されるようになっている。
【０１０９】
個々の脱着可能な情報記憶媒体３１内には、既に記録されている各種情報に関する管理情報も予め記録されている。個々の情報記憶媒体３１内に記録されたこの管理情報は、記録再生部間情報転送コントローラ７７の制御により読み取られ、情報記憶媒体内に記録された管理情報の解析部７４に送られる。この解析部７４では全ての情報記憶媒体３１内の管理情報を解析し、その解析結果を全体的に統合してメニュー画面の元情報を形成する。この形成結果がモニタ画面作成部７５に転送され、ユーザに表示するメニュー画面を作成する。この作成されたメニュー画面は、ＥＨＤＭＩへのインターフェースコントローラ７６からＥＨＤＭＩケーブル１２を経由して転送され、ＴＶモニタ８（図１参照）で表示される。一方、映像情報など間断無く高速転送が必要な情報は、情報記憶媒体３１から再生されると、記録再生部間情報転送コントローラ７７から直接ＥＨＤＭＩへのインターフェースコントローラ７６を経由してＥＨＤＭＩケーブル１２でＴＶモニタ８へ転送される。
【０１１０】
既に図２で説明したＥＨＤＭＩ通信における階層構造において、イーサーネットレイヤ２１（物理的階層）とＴＣＰ／ＩＰレイヤ２２（通信プロトコル）に関してはＥＨＤＭＩへのインターフェースコントローラ７６が直接制御する。それに対してＤＬＮＡレイヤ２３（コマンド指定）で発行される各種コマンドは、統合制御系７３からの指示または情報記憶媒体内に記録された管理情報の解析部７４での解析結果に基付きＥＨＤＭＩへのインターフェースコントローラ７６内で生成される。
【０１１１】
所で、図９に示すようにホームサーバ（情報記録再生装置）１内でこの制御部１７と記録再生部１８との間が特殊ケーブル１４で分離されている所にこの発明の一実施の形態の大きな特徴がある。これにより、この制御部１７だけを安価に販売できるだけでなく、任意の最大容量の記録再生部１８との交換が容易となる。
【０１１２】
同様に、図７のＵＳＢメモリバンクもホームサーバ１から分離されているので、ＵＳＢメモリバンク単体製品は安価に販売できるし、複数のＵＳＢメモリバンクをＵＳＢライン上でディジーチェーン接続すればそれまで使用していたＵＳＢメモリバンクを無駄にすることなく記憶容量の増大を図ることができる。
【０１１３】
図１０は、メモリ蓄積棚（メモリカードバンク）に装着または装填された１以上のメモリカードの空き領域を検索して統合する手順の一例を説明するフローチャート図である。以下、図１０を参照して、情報記録再生装置（ホームサーバ）１内でのホームサーバとしての動作方法に付いて説明する。まず始めに情報再生部１８内に装着された全情報記憶媒体３１内に記録された情報の種別とファイル名、空き容量（ファイル管理情報）の検出方法に付いて説明する。
【０１１４】
全ての情報記憶媒体３１内には、内蔵形あるいは脱着可能形といったタイプに関わらず、個々の識別情報（Identification情報：図２１（ａ）のカード固有ＩＤ参照）が設定されており、図３または図４内の情報記憶媒体内コントローラ３９の中で管理されている。従って、制御部１７内の記録再生部間情報転送コントローラ７７は、この識別情報を利用して個々の情報記憶媒体３１内に記録された情報を管理する。
【０１１５】
図１０では、例えば図８に示すような情報再生部１８の構造を前提とし、複数の脱着可能な情報記憶媒体３１が無秩序に配置されている。従って、各情報記憶媒体３１内に記録されたファイル管理情報の検索開始に当たって、「何個の情報記憶媒体３１が装着されているか？」と「各情報記憶媒体３１のＩＤ情報は何か？」を始めに調査する必要がある。図６などで示したように、この記録再生部１８は、記録再生拡張部に対する電気信号接続部４５を介して複数個の記録再生拡張部５２の増設が容易である。従って制御部１７内の記録再生部間情報転送コントローラ７７は、この記録再生拡張部５２内に装着された脱着可能な情報記憶媒体３１に対しても上記の調査を行う必要がある。
【０１１６】
制御部１７内の記録再生部間情報転送コントローラ７７は、記録再生部１８の中に配置された記録再生部内コントローラ４３、アンテナ駆動用回路部６３を経由して、情報記憶媒体に対する情報入出力（記録再生）用と電源供給用アンテナ６２で電流を流し、脱着可能な情報記憶媒体の保存場所６１内に存在する全ての脱着可能な情報記憶媒体３１（無線タイプのメモリカード３１ｘ）に対してＩＤ情報を回答するように指示を出す（ＳＴ１０）。
【０１１７】
このコマンドを受けると、対応する脱着可能な情報記憶媒体３１から固有なＩＤ情報を発信して回答する（ＳＴ１２）。
【０１１８】
この時、複数の異なる脱着可能な情報記憶媒体３１から同時にＩＤ情報を無線発信する場合が発生する。もしこのような同時回答が発生した場合には、遅れて回答を始めた情報記憶媒体３１側の無線発信を停止すると共に、先に回答を始めた情報記憶媒体３１は複数回のＩＤ情報の無線発信を行う。この無線信号は情報記憶媒体に対する情報入出力（記録再生）用と電源供給用アンテナ６２側で受信され、アンテナ駆動用回路部６３内で信号増幅された後に記録再生部内コントローラ４３と特殊ケーブル１４を経由して記録再生部間情報転送コントローラ７７に転送される。
【０１１９】
このようにしてこの記録再生部間情報転送コントローラ７７が１個のＩＤ情報を認識すると、過去に認識した全てのＩＤ情報を脱着可能な情報記憶媒体３１に通知し、未回答の脱着可能な情報記憶媒体３１に対するＩＤ情報の回答を促す（ＳＴ１４）。その直後に特定期間だけ情報記憶媒体３１からの回答を待つ（ＳＴ１６）。この記録再生部間情報転送コントローラ７７が認識していないＩＤ情報を持った情報記憶媒体３１が有れば、この特定期間に回答するが、もし全ての情報記憶媒体３１のＩＤ情報を認識している場合には回答が戻らない。従ってこの特定期間に情報記憶媒体３１からの回答があるか否かを調べ（ＳＴ１８）、もし回答が戻って来た場合（ＳＴ１８ノー）にはＳＴ１４からの処理を繰り返す。また回答が戻って来ない場合（ＳＴ１８イエス）には、この記録再生部間情報転送コントローラ７７は記録再生拡張部５２内も含めて全ての脱着可能な情報記憶媒体３１のＩＤ情報の収集が完了したと見なして、全ての脱着可能な情報記憶媒体３１からのファイル管理情報の収集を行う。
【０１２０】
この発明の一実施の形態では、全ての情報記憶媒体３１内で管理されているファイル管理情報はＦＡＴ３２形式（File Allocation Table）で記載されているものとして扱う（図１６〜図２０参照）。この記録再生部間情報転送コントローラ７７は、先に収集したＩＤ情報を利用して対象となる脱着可能な情報記憶媒体３１を指定し、その中に記録されているＦＡＴ３２の情報を再生する（ＳＴ２０）。そして全ての脱着可能な情報記憶媒体３１からのファイル管理情報（ＦＡＴ）の再生が完了した場合には（ＳＴ２２イエス）、全てのファイル管理情報（ＦＡＴ）を統合して脱着可能な情報記憶媒体毎の空き領域（新たに情報の記録が可能な領域）のサイズと全体の空き領域サイズをまとめる（ＳＴ２４）。その後、統合制御系７３の指示に従い、ＳＴ２４で行った処理結果を統合制御系７３またはモニタ画面作成部７５に回答する（ＳＴ２６）。
【０１２１】
図１１は、メモリ蓄積棚（メモリカードバンク）に装着または装填された１以上のメモリカードへ情報記録を行う手順の一例を説明するフローチャート図である。以下、モデムルータ３から転送される映像情報（ネット配信される動画）もしくはデジタルＴＶ放送プログラム等のＡＶ情報の情報記憶媒体３１への記録方法に付いて説明する。始めに録画（記録）する映像情報サイズ（録画予定のプログラムのトータル時間と録画に使用する記録レートからわかる）が予め決まっている場合を説明する。
【０１２２】
ユーザがリモコン２を利用して録画指定すると、その情報がリモコンコントローラ７１を経由して図９に示された統合制御系７３に伝わる。すると統合制御系７３はモデムルータコントローラ７２から録画に必要な映像情報サイズ情報を収集する（ＳＴ３０）。次に統合制御系７３から記録再生部間情報転送コントローラ７７に指示を出し、全ての脱着可能な情報記憶媒体３１内の空き領域サイズを収集する（ＳＴ３２）。ここで、記録再生部間情報転送コントローラ７７は図１０に示した方法で事前に全ての脱着可能な情報記憶媒体３１内の空き領域サイズを収集しているので、この情報を転送させる。その後、ＳＴ３０で収集した録画に必要な映像情報サイズ情報を元に空き領域がこの値よりも大きな情報記憶媒体３１を探し、録画可能な情報記憶媒体の選別を行う（ＳＴ３４）。
【０１２３】
次に統合制御系７３が選別した録画可能な情報記憶媒体３１の候補一覧表を含むメニュー画面をモニタ画面作成部７５内で作成させる。この画面をＥＨＤＭＩへのインターフェースコントローラ７６とＥＨＤＭＩケーブルを経由してＴＶモニタ８（図１参照）に表示し、ユーザのリクエスト有無を問い合わせる（ＳＴ３６）。ユーザがリモコン２でリクエストすると、ユーザが指定した（ユーザのリクエストが無い場合には空き領域の最も大きな）特定の情報記憶媒体３１への録画を開始する（ＳＴ３８）。
【０１２４】
録画が完了すると、解析部７４内で録画情報の管理情報を作成するように統合制御系７３が指示を出す（ＳＴ４０）。この録画情報の管理情報（図２１（ｈ）または図２２〜図２３参照）内には「録画を開始した時刻情報」と、再生時間と情報記憶媒体３１内の記録場所との関係を示した「タイムマップ情報」が含まれ、前記録画した映像情報とは別のファイル（図２５の＊付きファイル参照）で同一の情報記憶媒体３１内に記録される。
【０１２５】
それが完了すると、解析部７４内で録画情報に関する再生管理情報（図２１（ｇ）または図２４参照）を作成するように統合制御系７３が指示を出す（ＳＴ４２）。この再生管理情報（ＰＧＣＩ）は情報記憶媒体に記録された映像情報の再生手順を示す情報で、前記録画した映像情報や録画情報の管理情報（ＶＯＢＩまたはＳＯＢＩ）とは別のファイルで同一の情報記憶媒体３１内に記録される。そしてこの録画情報の管理情報と再生管理情報が完成すると、統合制御系７３の制御により、解析部７４から記録再生部間情報転送コントローラ７７と記録再生部１８を経由して、録画映像情報が記録された情報記憶媒体３１内に、別ファイル（図２５の＊付きファイル参照）として記録される（ＳＴ４４）。
【０１２６】
図１１の手順を別の観点で説明すると、次のようになる。すなわち、録画（記録）する映像情報サイズが予め決まっていない場合には、記録再生部間情報転送コントローラ７７から情報記憶媒体毎の空き領域サイズ情報の収集を行った後（ＳＴ３２）、空き領域の大きい情報記憶媒体３１の順にユーザに表示し、その映像情報を特定の情報記憶媒体に記録したいか否かのリクエストをユーザに問い合わせる（ＳＴ３６）。ユーザからの特定の指定が無い場合には、空き領域の大きな情報記憶媒体３１から順次録画を行う。
【０１２７】
この場合には、一度に録画する映像情報が異なる複数の脱着可能な情報記憶媒体３１に跨って録画（記録）される可能性がある。その場合には
・「録画を開始した時刻情報」と「タイムマップ情報」が含まれる「録画情報の管理情報」に関しては、対応する映像情報が記録された脱着可能な情報記憶媒体３１内にのみ記録し、
・再生管理情報に関しては、一度に録画する映像情報を録画（記録）した異なる複数の脱着可能な情報記憶媒体３１全てに同じ内容で記録し、
・再生管理情報内には映像情報が録画（記録）された情報記憶媒体３１のＩＤ情報を持たせる。ここに、この実施の形態の特徴がある。
【０１２８】
具体的な方法に付いて説明する。一度に録画する映像情報が異なる複数の脱着可能な情報記憶媒体３１に跨って録画（記録）された場合、同一の脱着可能な情報記憶媒体３１内に記録された映像情報単位で映像再生単位であるセルを定義し、そのセルの繋がりとして異なる複数の情報記憶媒体に録画された情報の再生を可能とする。そしてこの再生管理情報とはこのセルの再生順番とセルに関する管理情報から構成される。特にこのセルに関する管理情報内に、このセルに対応する映像情報が記録されている脱着可能な情報記憶媒体３１のＩＤ情報を持たせる（図２１（ｇ）参照）。これにより再生時にはどの脱着可能な情報記憶媒体３１をどの順に再生すれば良いかが分かる。
【０１２９】
この発明の一実施の形態ではユーザは任意の脱着可能な情報記憶媒体３１を記録再生部１８から離脱できる。ユーザが特定の脱着可能な情報記憶媒体３１を記録再生部１８から外した場合には、上記セルに関する管理情報内に記録されたＩＤ情報を持った情報記憶媒体３１が欠落する。この発明の一実施の形態では、異なる複数の脱着可能な情報記憶媒体３１に跨って録画（記録）された映像再生時には、欠落した情報記憶媒体３１に記録された映像情報に対応したセルを飛ばし、次のセルの再生を行う事とする。それによりユーザが特定の脱着可能な情報記憶媒体３１を記録再生部１８から外した場合でも、映像再生を中断する事無くユーザに録画した映像の再生を保証できる。
【０１３０】
更にユーザが多数の脱着可能な情報記憶媒体３１を記録再生部１８から外した結果、上記の再生管理情報が全く意味をなさない場合が発生する。この時には統合制御系７３の指示に基付き、情報記憶媒体内に記録された管理情報の解析部７４が、記録再生部１８内に装着された全ての脱着可能な情報記憶媒体３１内に記録された「録画情報の管理情報」を収集し、その中に記録された「録画を開始した時刻情報」を利用し、その録画を開始した時刻情報の古い順にセルを並べて再生管理情報を再構築する。次に、統合制御系７３の制御に基付き、その構築結果を情報記憶媒体内に記録された管理情報の解析部７４から記録再生部間情報転送コントローラ７７と記録再生部１８を経由して関係する全ての脱着可能な情報記憶媒体３１に対して上書き修正を行う。
【０１３１】
最後にＴＶモニタ８に表示するメニュー画面に付いて説明する。この発明の一実施の形態では２通りのメニュー画面を持つ。すなわち記録再生部１８と記録再生拡張部５２内に装着された全ての脱着可能な情報記憶媒体３１内に記録されている全ての各種情報を統合し、唯一の記録媒体内に記録されている情報としてまとめて表示するメニュー画面がその一つに対応する。この場合にはユーザは個々の脱着可能な情報記憶媒体３１を意識する事無く、各種情報の記録が可能となる。但し実際に情報を記録する場合には、情報の記録を行っている脱着可能な情報記憶媒体３１の真上に付いている情報記憶媒体への記録状態表示灯４８（図５、図６参照）を点灯させて、ユーザに対してどの脱着可能な情報記憶媒体３１に記録しているかを表示する。
【０１３２】
もう一方の表示方法は通常のパーソナルコンピュータの表示画面と同様、脱着可能な情報記憶媒体３１毎に既に記録されているファイルとその属性を表示する。
【０１３３】
図１２は、メモリ蓄積棚（メモリカードバンク）に装着または装填された１以上のメモリカードに跨ってＡＶ情報（同一プログラム）を録画する手順の一例を説明するフローチャート図である。ここでは、「同一プログラムが複数の異なるメモリカードに跨って記録される場合」に対応した録画方法を説明する。
【０１３４】
まず、論理的な接続が確立された１以上のメモリカード（物理的に存在する１以上のメモリカードのうち図２１（ａ）のＲＯＭ１０２内プログラムにより認証されたものだけ）各々について、識別情報（カード固有ＩＤ）とアロケーション情報（ＦＡＴ）を収集する（ＳＴ５０）。次に、収集した識別情報とアロケーション情報から、メモリカード毎に、空き領域サイズ（および／または空き領域サイズを所定の記録レートで換算した録画可能時間）を、表示装置上に表示する（ＳＴ５２）。（例えば空き領域サイズが全記録領域サイズの１％以下というような、実質的に空き容量がないメモリカードについては、録画不能の表示をするか、表示対象から外す。）
次に、表示から、録画（情報記録）に使用する１以上のメモリカード（空き容量があるもの）を、リモコン操作などにより、ユーザに選択してもらう（ＳＴ５４）。（図示しないリモコンのカーソルキー操作で該当メモリカードのアイコンを選択し、エンターキーを押すなど。）あるいは、以下のａ〜ｃいずれかの処理に対するアイコンを表示し、それらのうちの１つをユーザに選択してもらう。所定時間経過してもユーザが何も選択しない場合は、以下のａ〜ｃいずれかをデフォルト選択する：
ａ．デフォルトで、空き容量の大きなものから順に使用されるように全てのメモリカードを選択する。（１つのプログラム全体の記録を1枚のメモリカードで賄える可能性を高くする。１つのプログラムが複数のメモリカードに分散して記録されるような場合でも、分散記録に使われるメモリカードの数を極力減らす。）あるいは、
ｂ．デジタル放送プログラムなどを録画する場合においてＥＰＧ情報からプログラム全体の録画時間が分かっており、所定の記録レートでもって尻切れにならずにそのプログラム全体の録画が可能な大きさの空き容量があるメモリカードが１以上あれば、そのうちの空き容量の最も少ないメモリカードを選択する。（途中まで使用済みのメモリカードの全記録容量をなるべく早く無駄なく使い切る。記録容量を使い切ったメモリカードは、書き込み禁止あるいは消去禁止のプロテクトをかけて再生専用にすることができる。）あるいは、
ｃ．1枚でプログラム全体を録画可能なメモリカードがないときは、空き容量の小さなものから順に使用されるように全てのメモリカードを選択する。（空き容量が少ないメモリカードはなるべく早く使い切り、空き容量が少ないメモリカードの残数が増えにくくする。記録容量を使い切ったメモリカードは、書き込み禁止のプロテクトをかけて再生専用にすることができる。使い切ったメモリカードの容量分は新たなメモリカードを追加することで補填する。なお、カード全体でなく個々のプログラムに対する書き込み禁止のプロテクトはPGCI/PGI/PG_TY内のprotectフラグを用いて行うことができる。）
次に、選択された１以上のメモリカードの空き領域にこれから録画しようとするコンテント（デジタル放送プログラム等のビデオオブジェクトまたはストリームオブジェクト）が、所定の記録レートで収まるかどうかチェックする（ＳＴ５６）。例えば、MPEG-2のＴＳ録画では24Ｍbps、MPEG-4 AVC（H.264）のＴＳＥ録画では6.0Ｍbpsまたは8.0Ｍbps、MPEG-2のＰＳ録画では4.6Ｍbpsまたは2.2Ｍbpsで、これから録画しようとするコンテントが選択された１以上のメモリカードの空き領域に収まるかどうかチェックする。
【０１３５】
収まらないときはその旨をユーザに通知して、空き領域のあるメモリカードを更に追加選択してもらうか、選択されたメモリカードの一部または全部を、より空き容量の大きな１以上のメモリカードに選択し直してもらう（ＳＴ５８）。もしくは、選択されたメモリカードに記録されているオブジェクトの一部または全部を消去してもらい、そのメモリカードの空き容量を増やす。あるいは、ユーザが選択した１以上のメモリカードの空き領域にこれから録画しようとするコンテントが尻切れにならずに全部録画できるように、記録レートを下げる、および／または録画モードを変える。例えば24ＭbpsのＴＳ録画モードで１時間分の空き容量しかない場合に３時間のプログラムを録画するときは、8.0ＭbpsのＴＳＥ録画モードに変更する。
【０１３６】
録画に使うメモリカードと記録モードが決まったあと、録画を開始する（ＳＴ６０）。録画が終了したら、録画に使ったメモリカード毎に、録画されたビデオオブジェクトの録画管理情報（ＶＯＢＩまたはＳＯＢＩ）を作成する（ＳＴ６２）。作成した録画管理情報（ＶＯＢＩまたはＳＯＢＩ）は前述したように２箇所に記録する。
【０１３７】
具体的には、録画管理情報（VOBI / SOBI）には、録画時間の情報（録画開始時間VOB_REC_TM / SOB_REC_TM）、タイムマップの情報（TMAPI / SOB_TMAPI）などが記録される。この録画管理情報（VOBI / SOBI）は、録画に使ったメモリカードそれぞれと、録画されたコンテントのオブジェクトファイルの先頭に記録される。ここで、タイムマップ（ＴＭＡＰ）とは、録画されたビデオオブジェクト（ＶＯＢまたはＳＯＢ）内の再生時間を、そのオブジェクトの基本単位（ＶＯＢＵまたはＳＯＢＵ）に変換するデータテーブルである。ビデオオブジェクトユニット（ＶＯＢＵ）は、１以上のＧＯＰまたはリファレンスピクチャを含み、再生時間に換算して０．４秒から１．０秒（MPEG-2のＰＳ録画）の長さとなる単位である。また、ストリームオブジェクトユニット（ＳＯＢＵ）は、1以上のピクチャアクセスユニット（ＰＡＵ）を含み、再生時間に換算して数秒以下（MPEG-2のＴＳ録画またはMPEG-4 AVCによるＴＳＥ録画）の長さとなる単位である。このＰＡＵは、MPEG-2ではＧＯＰに対応し、MPEG-4 AVCではＧＯＶＵに対応し、ＶＣ−１ではGroup of Picturesに対応する。
【０１３８】
同一プログラム（録画されたコンテント）が複数のメモリカードに跨る場合は、録画に使用したメモリカード内の全ての再生管理情報（ＯＲＧ＿ＰＧＣＩ）を書き換える（ＳＴ６４）。その際は、同じセルが複数のメモリカードに跨らないようにする。
【０１３９】
いま、再生単位を示すセルＣ＃１、Ｃ＃２、…、Ｃ＃ｋ、…、Ｃ＃ｎの再生順序を管理する情報が再生管理情報（ＯＲＧ＿ＰＧＣＩ）であり、同一プログラムが３枚のメモリカード３１ａ、３１ｋ、３１ｎに跨って録画された場合を考えてみる。すると、再生管理情報（ＯＲＧ＿ＰＧＣＩ）の書き換えによって、セルＣ＃１、Ｃ＃２のビデオ再生開始時間などを管理するセル情報ＣＩ＃１、ＣＩ＃２は１枚目のメモリカード３１ａのＯＲＧ＿ＰＧＣＩに書き込まれ、セルＣ＃ｋのビデオ再生開始時間などを管理するセル情報ＣＩ＃ｋは２枚目のメモリカード３１ｋのＯＲＧ＿ＰＧＣＩに書き込まれ、セルＣ＃ｎのビデオ再生開始時間などを管理するセル情報ＣＩ＃ｎは３枚目のメモリカード３１ｎのＯＲＧ＿ＰＧＣＩに書き込まれる。各メモリカードの再生管理情報（ＯＲＧ＿ＰＧＣＩ）は、ＰＧＣセット情報（図２１（ｅ）のＰＧＣＳＩ）という再生管理情報により統合される。３枚のメモリカードの録画コンテントの再生管理は、このＰＧＣＳＩにより行う。
【０１４０】
ここで注意すべきことは、同じセルが複数のメモリカードに跨らないことである。３枚のメモリカードが全て生きている場合は、管理情報ＰＧＣＳＩの記述に従い、Ｃ＃１→Ｃ＃２→Ｃ＃ｋ→Ｃ＃ｎの順で記録オブジェクトが再生される。ここで、例えば２枚目のメモリカード３１ｋが取り除かれると、Ｃ＃１→Ｃ＃２→Ｃ＃ｎの順で記録オブジェクトが再生される。この場合セル情報ＣＩ＃ｋに対応する記録オブジェクトが再生から除かれるが、残ったメモリカード３１ａと３１ｎの記録オブジェクトは正常に再生される。
【０１４１】
しかし、もしセルＣ＃ｋが残ったメモリカード３１ａ（または３１ｎ）と取り除かれたメモリカード３１ｋに跨っているとすると、メモリカード３１ｋが取り除かれたことにより、残ったメモリカード３１ａ（または３１ｎ）にあるセルＣ＃ｋの一部が再生不能となってしまう。例えば、セルＣ＃１、Ｃ＃２、Ｃ＃ｋ、Ｃ＃ｎがそれぞれ音楽の曲＃１、＃２、＃ｋ、＃ｎであった場合、曲＃ｋが２枚のメモリカードに跨っておりその１枚が取り除かれると、残ったメモリカード内の曲＃ｋは頭が欠けるか尻切れトンボになってしまう。同じコンテンツの再生単位（セル）のオブジェクトデータが複数のメモリカードに跨って存在しないように記録を行ってその再生管理情報（ＯＲＧ＿ＰＧＣＩ）を作成すれば、一部のメモリカードの除去により例えば曲＃ｋが丸ごとカットされることになるが、曲＃ｋが頭欠けで再生されたり尻切れで再生されるという不都合はなくなる。
【０１４２】
図１３は、メモリ蓄積棚（メモリカードバンク）に装着または装填された１以上のメモリカードに跨って録画されたＡＶ情報（同一プログラム）を再生する手順の一例を説明するフローチャート図である。ここでは、「全てのメモリカードが挿入されている場合」に対応した再生方法を説明する。
【０１４３】
まず、論理的な接続が確立された１以上のメモリカード（物理的に存在する１以上のメモリカードのうち認証されたものだけ）各々について、識別情報（カード固有ＩＤ）とアロケーション情報（ＦＡＴ）を収集する（ＳＴ７０）。論理的な接続が確立された１以上のメモリカードそれぞれから再生管理情報（ＯＲＧ＿ＰＧＣＩおよび／または１以上のＵＤ＿ＰＧＣＩ）を収集する（ＳＴ７２）。そして、収集した再生管理情報（ＯＲＧ＿ＰＧＣＩ／ＵＤ＿ＰＧＣＩ）を統合した再生管理情報（図２１（ｅ）のＰＧＣＳＩ）を作成し、各メモリカード内の記録内容（プログラムまたはその一部のセル）を示す項目（テキストおよび／またはサムネール）を作成する（ＳＴ７４）。
【０１４４】
続いて、収集した識別情報（図２１（ａ）のカード固有ＩＤ）と、統合した再生管理情報内の固有ＩＤ情報エリア（図２１（ｇ））の内容から、再生に必要なメモリカードが今現在論理的に接続されているか否か（途中で一部のメモリカードが取り除かれていないか否か）をチェックする（ＳＴ７６）。必要なメモリカードが全てある場合は、各メモリカード内の記録内容（プログラムまたはその一部のセル）を示す項目（テキストおよび／またはサムネール）を表示する。必要なメモリカードがない場合は、その欠落したメモリカードのセルは、再生対象から外れる。再生対象から外れたセルに対応する項目（テキストおよび／またはサムネール）は表示対象から除かれる。
【０１４５】
表示された項目から、リモコン操作などにより、ユーザが再生したい記録内容（プログラムまたはその一部のセル）を選択してもらう（ＳＴ７８）。その後、収集した再生管理情報（ＯＲＧ＿ＰＧＣＩ／ＵＤ＿ＰＧＣＩ）を統合した再生管理情報（ＰＧＣＳＩ）の記述に従い、各メモリカード内に記録されたプログラムの再生単位であるセルを、セル再生時間順またはセル番号順に再生する（ＳＴ８０）。
【０１４６】
以上の再生処理を簡単にまとめると、次のようになる。すなわち、全メモリカード内に記録されている再生管理情報（ＰＧＣＩ）を読み取り、それをマージした内容をＴＶモニタに表示し、ユーザが見たい映像を指定する。ここで、全メモリカード内に記録されている再生管理情報（ＰＧＣＩ）を読み取り、その中のセル情報（ＣＩ）内に記録されたメモリカード識別情報（図２１（ｇ）参照）を利用して、全てのメモリカードが挿入されているか確認する。そして、挿入されてないメモリカードに対応したセルは飛ばして再生する再生手順をＴＶモニタに表示し、ユーザが見たい映像を指定する（または挿入されてないメモリカードに対応したセルは飛ばして自動再生する）。
【０１４７】
図１４は、メモリ蓄積棚に装着または装填された１以上のメモリカードに跨って録画されたＡＶ情報を編集（部分消去）する手順の一例を説明するフローチャート図である。まず、論理的な接続が確立された１以上のメモリカード（物理的に存在する１以上のメモリカードのうち認証されたものだけ）各々について、識別情報（カード固有ＩＤ）とアロケーション情報（ＦＡＴ）を収集する（ＳＴ９０）。また、論理的な接続が確立された１以上のメモリカードそれぞれから、記録されたプログラムのオブジェクトを管理するオブジェクト情報（ＶＯＢＩ）と、記録されたプログラムの再生単位であるセルを管理するプログラムチェーン情報（ＯＲＧ＿ＰＧＣＩ）を収集する（ＳＴ９２）。
【０１４８】
その後、ユーザの指示などにより、記録されたプログラムの一部がを消去される（ＳＴ９４）。（消去範囲の先頭と末尾はＶＯＢＩまたはＳＯＢＩ内のタイムマップ情報ＴＭＡＰＩに記述する。ＶＯＢＩまたはＳＯＢＩは管理情報記録領域内とＦＡＴ記録領域の双方に記録する。）
部分消去されたプログラムに対応するオブジェクトファイルを読み取り、ＦＡＴ記録領域に記録されたＶＯＢＩと管理情報記録領域に記録されたＯＲＧ＿ＰＧＣＩを読み取り全ての内容がつじつまが合っているか確認する（ＳＴ９６）。
【０１４９】
・あっていればＯＫとし、編集処理を終了する；
・あっていなければ管理情報記録領域の記録内容（ＯＲＧ＿ＰＧＣＩ）を再構築する（作り直す）。
【０１５０】
ここで、つじつまがあっているかどうかは、次のようにして確認できる。例えばＶＯＢＩ内のビデオ再生時間情報（VOB_V_S_PTM/ VOB_V_E_PTM）で定まる所定時間内に、各メモリカードのＯＲＧ＿ＰＧＣＩ内の各ＣＩに含まれるC_V_S_PTM（該当セルのビデオ開始時間）が存在すればつじつまがあっているとする。前記所定時間外の時間を示すC_V_S_PTMがあればつじつまが合わない。
【０１５１】
以上の編集処理を簡単にまとめると、次のようになる。すなわち、特定のObject File のデータのみが消去され、あるいは特定のメモリカードが抜かれて、関連する再生管理情報（ＰＧＣＩ）が滅茶苦茶になり、管理情報の再構築が必要な場合は、全てのメモリカードの再生管理情報（ＰＧＣＩ）とＶＯＢＩまたはＳＯＢＩ管理ファイルと記録Object Filesを読み取り、全ての内容がつじつまが合っているか確認する。関連するＶＯＢＩまたはＳＯＢＩ情報が変更されていてつじつまが合わなかったら、関連する再生管理情報（ＰＧＣＩ）を再構築する。
【０１５２】
図１５は、メモリ蓄積棚（メモリカードバンク）に装着または装填された１以上のメモリカードに跨って録画されたＡＶ情報が変更（部分的消去または部分的移動）された場合に管理情報を再構築する手順の一例を説明するフローチャート図である。ここでは、「オブジェクトファイル内の先頭に記録されているＶＯＢＩをＶＯＢＩ管理ファイル内にフィードバックし、ＶＯＢＩ内に記録されている録画開始時刻を利用して再生管理情報（ＰＧＣＩ）の再構築を行（録画開始時刻の古い順にＯＲＧ_ＰＧＣＩを設定する）場合」に対応した方法を説明する。
【０１５３】
１以上のメモリカードに記録された1以上のオブジェクトファイルのうち、先頭に記録されているオブジェクト管理情報（ＶＯＢＩまたはＳＯＢＩ）を読み取り、ＶＯＢＩまたはＳＯＢＩ内のオブジェクト記録時間情報（VOB_REC_TMまたはSOB_REC_TM）を取り出す（ＳＴ１００）。また、１以上のメモリカードそれぞれの管理情報記録領域から、オブジェクト管理情報（ＶＯＢＩまたはＳＯＢＩ）と、記録されたプログラムの再生単位（セル）を管理するプログラムチェーン情報（ＯＲＧ＿ＰＧＣＩ）を収集する（ＳＴ１０２）。
【０１５４】
その後、記録済みオブジェクトの一部を消去または移動する（ＳＴ１０４）。ここで、消去または移動された範囲の先頭および末尾を示す情報は、ＶＯＢＩ内のタイムマップ情報ＴＭＡＰＩまたはＳＯＢＩ内のタイムマップ情報ＳＯＢ＿ＴＭＡＰＩに記述される。この記述がなされたＶＯＢＩまたはＳＯＢＩは、管理情報記録領域とＦＡＴ記録領域の双方に記録される。
【０１５５】
オブジェクトの一部が部分的に消去されまたは部分的に移動されたプログラムに対応するオブジェクトファイル（先頭にＶＯＢＩまたはＳＯＢＩが記録されている）をＦＡＴ記録領域から読み取り、１以上のメモリカードそれぞれの管理情報記録領域からＯＲＧ＿ＰＧＣＩを読み取り、オブジェクトファイルの先頭のＶＯＢＩまたはＳＯＢＩと管理情報記録領域のＯＲＧ＿ＰＧＣＩの内容全てについて、つじつまが合っているか確認する（ＳＴ１０６）。
【０１５６】
・あっていればＯＫとし、処理を終了する（ＯＫであれば、ＯＲＧ＿ＰＧＣＩによるプログラム全体のセル再生順序が消去または移動により再生時間の流れの上で滅茶苦茶になっていない）。
【０１５７】
・あっていなければ、管理情報記録領域の記録内容（ＯＲＧ＿ＰＧＣＩ）を再構築する。具体的には、消去または移動のあったプログラムを格納するメモリカードに関して、録画開始時刻（VOB_REC_TMまたはSOB_REC_TM）の古いメモリカードの順にＯＲＧ＿ＰＧＣＩを設定しなおす。これにより、１以上のメモリカードに跨る、消去または移動のあったプログラムの再生において、時間経過順にセル再生が行われるようにする。すなわち、対応オブジェクトファイル内の先頭に記録されているＶＯＢＩまたはＳＯＢＩを、１以上のメモリカードそれぞれの管理ファイルにフィードバックする。
【０１５８】
＜実施の形態の効果＞
ネットワークダウンロードなどにより多量のコンテンツの保存が可能。具体的には多量のコンテンツを保存する場合、複数の情報記憶媒体に分散記録を可能とすると共に前記コンテンツを保存した複数の情報記憶媒体の中で特定の情報記憶媒体が欠落しても連続したコンテンツ再生を可能にする。
【０１５９】
各種情報を記録できる情報記憶媒体を任意に増設可能なため、例えば長時間に亘る映像情報の多量な録画に対応できると共にユーザが誤って特定の情報記憶媒体を離脱してもその連続再生が可能となる。
【０１６０】
＜実施の形態のまとめ＞
（１）メモリカードバンクの情報管理方法
１以上の情報記憶媒体（メモリカードなど）に記録（分散記録）されるデジタル情報（ＡＶ情報）を所定フォーマット（全ての情報記憶媒体に共通のフォーマット）に従いファイル管理する情報管理方法において、
前記情報記憶媒体各々には、その媒体を特定する識別情報（カード固有ＩＤ）が記録され、
前記情報記憶媒体各々には、前記デジタル情報のどの部分が何処に配置されているかを示すアロケーション情報（ＦＡＴ）がファイル管理情報として記録される場合において、
前記識別情報で識別された前記１以上の情報記憶媒体各々のアロケーション情報を収集し（図１０のＳＴ１０〜ＳＴ２２）、
収集した前記アロケーション情報を統合する（図１０のＳＴ２４）。
【０１６１】
（２）メモリカードバンクにカードを１枚加える
前記１以上の情報記憶媒体の数が増やされた場合において（図１０の処理を再度実行する）、数が増えた前記１以上の情報記憶媒体の各々からアロケーション情報を収集し（図１０のＳＴ１０〜ＳＴ２２）、
収集した前記アロケーション情報を統合する（図１０のＳＴ２４）。
【０１６２】
（３）メモリカードバンクからカードを１枚抜く（カードが装着されたままでも論理的にシステムから排除された場合を含む）
前記１以上の情報記憶媒体のうちの一部（例えば３枚のメモリカードのうちの１枚）が物理的あるいは論理的に除かれた場合において（図１０の処理を再度実行する）、一部が除かれた後の残りの前記１以上の情報記憶媒体の各々から前記アロケーション情報を収集し（図１０のＳＴ１０〜ＳＴ２２）、
収集した前記アロケーション情報を統合する（図１０のＳＴ２４）。
【０１６３】
（４）カードの一部を抜き取り別のカードを追加するなどによりメモリバンク内のカード数に増減があったとき、カード増減に応じて変更されたＦＡＴに基づき空き状況を表示
前記１以上の情報記憶媒体の数が増減された場合において（図１０の処理を再度実行する）、統合された前記アロケーション情報を前記１以上の情報記憶媒体の数の増減に応じて変更し（図１０のＳＴ１０〜ＳＴ２４）、
数が増減された前記１以上の情報記憶媒体の使用状況あるいは空き状況を、変更された前記アロケーション情報に基づいて表示する（図１０のＳＴ２６）。
【０１６４】
（５）録画時の情報管理方法
前記識別情報で識別された前記１以上の情報記憶媒体のうちの記録可能な空き領域を、統合された前記アロケーション情報から検出し（図１１のＳＴ３２）、
記録可能な空き領域を持つ前記１以上の情報記憶媒体に対して（図１１のＳＴ３４）、前記所定フォーマットに従い前記デジタル情報を記録し（図１１のＳＴ３８）、
記録された前記デジタル情報が何処に配置されているかを、統合された前記アロケーション情報で管理する（図１１のＳＴ４０〜ＳＴ４４）。
【０１６５】
（６）ＶＯＢＩまたはＳＯＢＩの作成
統合された前記アロケーション情報によって前記１以上の情報記憶媒体の何処に記録されているかが管理されるところの前記デジタル情報（ＶＯＢまたはＳＯＢに対応）について、この記録されたデジタル情報の記録時間情報（VOB_REC_TMを含むVOB_GIおよびTMAPI；あるいはSOB_REC_TMを含むSOB_GIおよびSOB_TMAPI）を含む記録管理情報（ＶＯＢＩまたはＳＯＢＩ）を作成する（図１１のＳＴ４０）。
【０１６６】
（７）ＰＧＣＩの作成
統合された前記アロケーション情報によって前記１以上の情報記憶媒体の何処に記録されているかが管理されるところの前記デジタル情報（ＶＯＢまたはＳＯＢに対応）について、このデジタル情報の再生単位（セル）の再生開始時間情報（C_V_S_PTM）と再生終了時間情報（C_V_E_PTM）を含む再生管理情報（ＰＧＣＩ）を作成する（図１１のＳＴ４２）。
【０１６７】
（８）ＣＩにカード固有ＩＤを記録
前記１以上の情報記憶媒体に記録された前記デジタル情報（ＶＯＢまたはＳＯＢに対応）の再生単位（セル）の再生時間（C_V_S_PTM/C_V_E_PTM）がセル情報（ＣＩ）で管理され、前記再生管理情報（ＰＧＣＩ）が１以上の前記セル情報（ＣＩ）を含み、このセル情報（ＣＩ）に、そのセル情報（ＣＩ）に対応する前記デジタル情報（ＶＯＢまたはＳＯＢ）を記録した前記情報記憶媒体の識別情報（図２１（ｇ）のＩＤａ〜ＩＤｎあるいは固有ファイル名）を記録する（図１１のＳＴ４４）。
【０１６８】
（９）複数カードに跨って録画されたプログラムの再生
１以上のメモリカードから各々の再生管理情報（ＯＲＧ＿ＰＧＣＩ／ＵＤ＿ＰＧＣＩ）を収集し（図１３のＳＴ７２）、
収集した再生管理情報（ＯＲＧ＿ＰＧＣＩ／ＵＤ＿ＰＧＣＩ）からそれらを統合した再生管理情報（ＰＧＣＳＩ）を作成し（図１３のＳＴ７４）、
統合した再生管理情報（ＰＧＣＳＩ）の記述に従い、各メモリカード内に記録されたプログラムの再生単位であるセルを順に再生する（図１３のＳＴ８０）。
【０１６９】
（１０）同一プログラムが複数カードに跨って録画される記録
１以上のメモリカードについて、各々の識別情報（カード固有ＩＤ）と、情報の記録場所を示すアロケーション情報（ＦＡＴ）を収集し（図１２のＳＴ５０）、
収集した識別情報とアロケーション情報から、各メモリカードの何処にどれだけ空き領域があるかを検出し（図１２のＳＴ５２）、
前記空き領域がある１以上のメモリカードを用いて所定のプログラムを記録し（図１２のＳＴ６０）、
各メモリカード内に記録されるプログラムの再生単位をセルとし１以上のセルの再生順序を再生管理情報（ＯＲＧ＿ＰＧＣＩ）で管理するものとしたときに、同一プログラムが複数のメモリカードに跨って記録される場合は、同じセルが複数のメモリカードに跨らないように、前記再生管理情報（ＯＲＧ＿ＰＧＣＩ）を作成する（図１２のＳＴ６４）。
【０１７０】
（１１）複数カードに跨って録画されたプログラムが部分的に消去または移動された場合の管理情報再構築
ファイル管理情報記録領域（ＦＡＴ）と管理情報記録領域（１３０）とオブジェクト記録領域（１３１〜１３４）を持つメモリカード（３１）を１以上用いて、デジタル情報（ＶＯＢまたはＳＯＢに対応）のプログラムがオブジェクトファイル（図２５のＶＲＯファイルまたはＳＲＯファイル）として記録されており、
１以上の前記メモリカードに記録された前記オブジェクトファイルの先頭（図２５の＊付きファイル）に、記録された前記プログラムに対応するオブジェクトの記録時間情報（VOB_REC_TMまたはSOB_REC_TM）を含むオブジェクト管理情報（ＶＯＢＩまたはＳＯＢＩ）が記録されており、
１以上の前記メモリカードに記録された前記管理情報記録領域（１３０）に、記録された前記プログラムの再生単位（セル）を管理するプログラムチェーン情報（ＯＲＧ＿ＰＧＣＩ）が記録されている場合において、
前記前記オブジェクトファイルの先頭に記録された前記オブジェクト管理情報（ＶＯＢＩまたはＳＯＢＩの＊付きファイル）と、前記管理情報記録領域（１３０）に記録された前記プログラムチェーン情報（ＯＲＧ＿ＰＧＣＩ）を読み取り（図１５のＳＴ１００〜ＳＴ１０２）、
記録済みの前記オブジェクトの一部が消去または移動された場合（図１５のＳＴ１０４）に、前記オブジェクトの記録時間情報（VOB_REC_TMまたはSOB_REC_TM）が古い順の前記プログラムチェーン情報（ＯＲＧ＿ＰＧＣＩ）を用いて、前記オブジェクトの一部が消去または移動されたプログラムに対する前記プログラムチェーン情報（ＯＲＧ＿ＰＧＣＩ）を再構築する（図１５のＳＴ１０６）。
【０１７１】
（１２）図５、図６のメモリバンク＋図９の装置
１以上のメモリカードに記録されるデジタル情報が所定フォーマットに従い管理され、前記メモリカード各々にそのメモリカードを特定する識別情報と前記デジタル情報のどの部分が何処に配置されているかを示すアロケーション情報が記録される場合において、
前記１以上のメモリカード各々が着脱可能に装着されるガイド（５１）付き接続部（５０）と、
前記接続部（５０）に装着された前記１以上のメモリカードのうち論理的な接続が確立されたものについて（物理的に繋がっていてもシステムが認識しないものは除く意）、前記識別情報で識別された前記１以上のメモリカード各々のアロケーション情報を収集する手段（図１０のＳＴ１０〜ＳＴ２２を実行する図９の７３）と、収集した前記アロケーション情報を統合する手段（図１０のＳＴ２４を実行する図９の７３）と、統合された前記アロケーション情報により管理される前記１以上のメモリカードを用いて前記デジタル情報の記録および／または再生を行う手段（図５、図６の１８）を具備したデジタル情報記録再生装置。
【０１７２】
（１３）図７のＵＳＢメモリバンク付きレコーダ
１以上のメモリカードに記録されるデジタル情報が所定フォーマットに従い管理され、前記メモリカード各々にそのメモリカードを特定する識別情報と前記デジタル情報のどの部分が何処に配置されているかを示すアロケーション情報が記録され、
前記識別情報で識別された前記１以上のメモリカード各々のアロケーション情報を収集し（図９の７３）、収集した前記アロケーション情報を統合し（図９の７３）、統合された前記アロケーション情報により管理される前記１以上のメモリカードと情報交換を行う（図９の７７）制御部（図９の１７）に接続される装置（図７）であって、
前記１以上のメモリカード各々が（スロットを通して）着脱可能に装着される１以上のソケット（５４）と、
前記制御部（１７）で統合された前記アロケーション情報により管理される前記１以上のメモリカードを用いて、前記デジタル情報の記録および／または再生を行う手段（図７の５８）と、
前記デジタル情報の記録および／または再生を行う手段（図７の５８）を前記制御部（１７）に接続する手段（図７のＵＳＢインターフェース５９〜ＵＳＢ端子６０）を具備したデジタル情報記録再生装置。
【０１７３】
（１４）図８の電子レンジ型メモリバンク＋図９の装置
１以上のメモリカードに記録されるデジタル情報が所定フォーマットに従い管理され、前記メモリカード各々にそのメモリカードを特定する識別情報と前記デジタル情報のどの部分が何処に配置されているかを示すアロケーション情報が記録され、電磁波による無線情報交換とともに電磁波による給電を行うカード側アンテナ（図３の３５）が前記メモリカード（図３の３１ｘ）各々に具備されている場合において、
前記１以上のメモリカード（３１ｘ）を入れる収納キャビティ（図８の６１）と、
前記収納キャビティ（６１）に入っている前記１以上のメモリカード各々に給電エネルギを持つ電磁波を送る装置側アンテナ（図８の６２ｘ〜６２ｚ）と、
前記収納キャビティ（６１）に入っていて前記装置側アンテナ（６２ｘ〜６２ｚ）からの電磁波により給電されている前記１以上のメモリカード（３１ｘ）のうち論理的な接続が確立されたものについて、前記識別情報で識別された前記１以上のメモリカード各々のアロケーション情報を収集する手段（図９の７３）と、収集した前記アロケーション情報を統合する手段（図９の７３）と、統合された前記アロケーション情報により管理される前記１以上のモリカードを用いて前記デジタル情報の記録および／または再生を行う手段（図８の１８）を具備したデジタル情報記録再生装置。
【０１７４】
（１５）メモリバンクに光送受手段を設ける＋図９の装置
１以上のメモリカードに記録されるデジタル情報が所定フォーマットに従い管理され、前記メモリカード各々にそのメモリカードを特定する識別情報と前記デジタル情報のどの部分が何処に配置されているかを示すアロケーション情報が記録され、光による情報交換を行う光素子（図４の３０ａ、３０ｂ；または２４、３０）および光による給電を行う太陽電池（図４の２６）が前記メモリカード（図４の３１ｙ）各々に具備されている場合において、
前記１以上のメモリカード（３１ｙ）各々が着脱可能に配置されるガイド（図６の５１）と、
前記ガイド（５１）に沿って配置された前記１以上のメモリカードの受光面側に配置され、前記光素子（図６の３０ａ、３０ｂ）および前記太陽電池（図６の２６）に光を照射し前記光素子（図６の３０ａ）から光を受ける光送受手段（図６の３０ｙａ、３０ｙｂ、２６ｙ）と、
前記光が照射された前記太陽電池（２６）からの給電で動作する前記１以上のメモリカード（３１ｙ）のうち、前記光素子（３０ａ、３０ｂ）を介して論理的な接続が確立されたものについて、前記識別情報で識別された前記１以上のメモリカード各々のアロケーション情報を収集する手段（図９の７３）と、収集した前記アロケーション情報を統合する手段（図９の７３）と、統合された前記アロケーション情報により管理される前記１以上のメモリカードを用いて前記デジタル情報の記録および／または再生を行う手段（図５、図６の１８）を具備したデジタル情報記録再生装置。
【０１７５】
（１６）アンテナ付きメモリカード
デジタル情報を記録する領域と、自身を特定する識別情報を記録する領域と、前記デジタル情報のどの部分が何処に配置されているかを示すアロケーション情報を記録する領域を有するものであって、電磁波による無線情報交換とともに電磁波による給電を行うアンテナを具備したメモリカード（図３）。
【０１７６】
（１７）光電素子と太陽電池付きメモリカード
デジタル情報を記録する領域と、自身を特定する識別情報を記録する領域と、前記デジタル情報のどの部分が何処に配置されているかを示すアロケーション情報を記録する領域を有するものであって、光による情報交換を行う光電素子（ＬＥＤが情報送光、フォトダイオードまたは太陽電池が情報受光）および光による給電を行う太陽電池を具備したメモリカード（図４）。
【０１７７】
なお、この発明は前述した実施の形態に限定されるものではなく、実施段階ではその要旨を逸脱しない範囲で種々に変形することが可能である。例えば、１以上の記録媒体としてフラッシュメモリなどを用いたメモリカードを例示しているが、１以上の情報記憶媒体としては、フラッシュメモリの他に、ＨＤＤあるいは記録可能な光ディスクドライブに装填された記録可能光ディスクを用いることもできる。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【０１７８】
【図１】この発明の一実施の形態におけるホームネットワークシステムを説明する図。
【図２】拡張ＨＤＭＩ通信における階層構造を説明する図。
【図３】この発明の一実施の形態に係る情報記憶媒体（メモリカード）の内部構成を説明する図。
【図４】この発明の他の実施の形態に係る情報記憶媒体（メモリカード）の内部構成を説明する図。
【図５】この発明の一実施の形態に係るメモリ蓄積棚（メモリカードバンク）の一例を説明する図。
【図６】この発明の一実施の形態に係るメモリ蓄積棚（メモリカードバンク）の他例を説明する図。
【図７】この発明の他の実施の形態に係るメモリ蓄積棚（ＵＳＢメモリカードバンク）を説明する図。
【図８】この発明のさらに他の実施の形態に係るメモリ蓄積棚（電子レンジのような収納部を持つメモリカードバンク）を説明する図。
【図９】メモリ蓄積棚（メモリカードバンク）の制御部の構成例を説明する図。
【図１０】メモリ蓄積棚（メモリカードバンク）に装着または装填された１以上のメモリカードの空き領域を検索して統合する手順の一例を説明するフローチャート図。
【図１１】メモリ蓄積棚（メモリカードバンク）に装着または装填された１以上のメモリカードへ情報記録を行う手順の一例を説明するフローチャート図。
【図１２】メモリ蓄積棚（メモリカードバンク）に装着または装填された１以上のメモリカードに跨ってＡＶ情報（同一プログラム）を録画する手順の一例を説明するフローチャート図。
【図１３】メモリ蓄積棚（メモリカードバンク）に装着または装填された１以上のメモリカードに跨って録画されたＡＶ情報（同一プログラム）を再生する手順の一例を説明するフローチャート図。
【図１４】メモリ蓄積棚に装着または装填された１以上のメモリカードに跨って録画されたＡＶ情報を編集（部分消去）する手順の一例を説明するフローチャート図。
【図１５】メモリ蓄積棚（メモリカードバンク）に装着または装填された１以上のメモリカードに跨って録画されたＡＶ情報が変更（部分的消去または部分的移動）された場合に管理情報を再構築する手順の一例を説明するフローチャート図。
【図１６】メモリ蓄積棚（メモリカードバンク）に装着または装填された１以上のメモリカードのデータエリアに対するボリューム構造を例示する図。
【図１７】ボリューム構造内のシステムエリアのレイアウトを例示する図。
【図１８】ボリューム構造内のパーティションエリアに含まれる、マスターブートレコードおよび複数パーティションテーブルを含むデータフィールドを例示する図。
【図１９】各パーティションテーブルの内部フィールドを例示する図。
【図２０】ファイルディレクトリのエントリフィールドの内部フィールドを例示する図。
【図２１】この発明の一実施の形態に係る情報記憶媒体における記録フォーマットを説明する図。
【図２２】ビデオオブジェクト情報およびストリームオブジェクト情報に含まれる一般情報の内容を例示する図。
【図２３】ビデオオブジェクト情報およびストリームオブジェクト情報に含まれるタイムマップ情報の内容を例示する図。
【図２４】再生時間ベースで管理を行うビデオレコーディング用のプログラムチェーン情報の内容および、再生時間ベースで管理を行うストリームレコーディング用のプログラムチェーン情報の内容を例示する図。
【図２５】この発明の一実施の形態に係る情報記憶媒体におけるファイル構造を例示する図。
【符号の説明】
【０１７９】
３１（３１ａ〜３１ｎ）…着脱可能な情報記憶媒体（メモリカード）、３１ｘ…外部機器との情報交換および給電を無線で行う情報記憶媒体（メモリカード）、３１ｙ…外部機器との情報交換および給電を光で行う情報記憶媒体（メモリカード）。
【図１】
2009282851.tif 000003
【図２】
2009282851.tif 000004
【図３】
2009282851.tif 000005
【図４】
2009282851.tif 000006
【図５】
2009282851.tif 000007
【図６】
2009282851.tif 000008
【図７】
2009282851.tif 000009
【図８】
2009282851.tif 000010
【図９】
2009282851.tif 000011
【図１０】
2009282851.tif 000012
【図１１】
2009282851.tif 000013
【図１２】
2009282851.tif 000014
【図１３】
2009282851.tif 000015
【図１４】
2009282851.tif 000016
【図１５】
2009282851.tif 000017
【図１６】
2009282851.tif 000018
【図１７】
2009282851.tif 000019
【図１８】
2009282851.tif 000020
【図１９】
2009282851.tif 000021
【図２０】
2009282851.tif 000022
【図２１】
2009282851.tif 000023
【図２２】
2009282851.tif 000024
【図２３】
2009282851.tif 000025
【図２４】
2009282851.tif 000026
【図２５】
2009282851.tif 000027